(57)【特許請求の範囲】
【請求項１】
携帯型電気エネルギー貯蔵装置隔室システムであって、
少なくとも１つのコントローラと、
前記少なくとも１つのコントローラに結合された少なくとも１つの通信モジュールと、を含み、前記少なくとも１つのコントローラが、
前記少なくとも１つの通信モジュールを介して、携帯型電気エネルギー貯蔵装置を収容するように構成された隔室内の前記携帯型電気エネルギー貯蔵装置の危険状態に関する情報を受信し、
前記危険状態に関する前記情報の受信に応じて、
前記携帯型電気エネルギー貯蔵装置が前記隔室をロックするのに望ましい状態かどうかを判定し、
前記携帯型電気エネルギー貯蔵装置が前記隔室をロックするのに望ましい状態であると判定された場合に、ユーザを前記危険状態から守るために前記隔室の携帯型電気エネルギー貯蔵装置隔室ロック機構をロックする、携帯型電気エネルギー貯蔵装置隔室システム。
【請求項２】
前記隔室をロックするのに望ましい状態は、前記携帯型電気エネルギー貯蔵装置が接続された回路の温度レベル、電圧レベル及び電流レベルの１つ以上が、特定のそれぞれのしきい値を超える状態である、請求項１に記載の携帯型電気エネルギー貯蔵装置隔室システム。
【請求項３】
前記危険状態が、前記隔室内の前記携帯型電気エネルギー貯蔵装置の潜在的又は既存の破局故障である、請求項２に記載の携帯型電気エネルギー貯蔵装置隔室システム。
【請求項４】
前記隔室をロックするのに望ましい状態が、前記携帯型電気エネルギー貯蔵装置の温度レベルと前記隔室の内側の温度レベルの１つ以上が、特定のそれぞれのしきい値を超える状態である、請求項１に記載の携帯型電気エネルギー貯蔵装置隔室システム。
【請求項５】
前記少なくとも１つの通信モジュールは、前記携帯型電気エネルギー貯蔵装置が接続された回路に結合された１つ以上のセンサから前記危険状態に関する情報を受信し、また前記少なくとも１つのコントローラに、前記少なくとも１つのコントローラが前記携帯型電気エネルギー貯蔵装置隔室ロック機構をロックすることを可能にする情報を通信する、請求項１に記載の携帯型電気エネルギー貯蔵装置。
【請求項６】
前記少なくとも１つのコントローラに結合された前記携帯型電気エネルギー貯蔵装置隔室ロック機構と、
前記少なくとも１つのコントローラに結合され、前記危険状態を示す状態を検出する１つ以上のセンサと、を更に含み、前記危険状態を示す前記状態が、前記携帯型電気エネルギー貯蔵装置が接続された回路の温度レベル、前記携帯型電気エネルギー貯蔵装置が接続された回路の電圧レベル、前記携帯型電気エネルギー貯蔵装置が接続された回路の電流レベル、前記携帯型電気エネルギー貯蔵装置の温度、前記携帯型電気エネルギー貯蔵装置がその中に配置された前記隔室内部の温度、前記携帯型電気エネルギー貯蔵装置が接続された回路の短絡のうちの１つ以上に関する状態を含み、前記少なくとも１つのコントローラが、前記１つ以上のセンサによって検出された前記危険状態を示す前記状態に基づいて、前記携帯型電気エネルギー貯蔵装置が前記隔室をロックするのに望ましい状態にあると判定した場合に前記携帯型電気エネルギー貯蔵装置隔室ロック機構をロックするように制御信号を送信する、請求項１に記載の携帯型電気エネルギー貯蔵装置隔室システム。
【請求項７】
前記少なくとも１つのコントローラが、更に、前記危険状態が存在しなくなったことに関する情報とロック機構オーバライド動作の性能の１つ以上に基づいて、前記携帯型電気エネルギー貯蔵装置のロック解除に関する決定を行うように構成されている、請求項１に記載の携帯型電気エネルギー貯蔵装置隔室システム。
【請求項８】
前記携帯型電気エネルギー貯蔵装置隔室システムが、車両に結合されている、請求項１に記載の携帯型電気エネルギー貯蔵装置隔室システム。
【請求項９】
前記携帯型電気エネルギー貯蔵装置隔室システムが、収集・充電及び分配装置に結合されている、請求項１に記載の携帯型電気エネルギー貯蔵装置隔室システム。
【請求項１０】
前記少なくとも１つのコントローラが、外部装置に送信された無線信号によって、危険状態に関する情報を前記外部装置に送信する、請求項１に記載の携帯型電気エネルギー貯蔵装置隔室システム。
【請求項１１】
前記少なくとも１つのコントローラと前記携帯型電気エネルギー貯蔵装置隔室ロック機構とに結合されて、前記携帯型電気エネルギー貯蔵装置隔室ロック機構と前記少なくとも１つのコントローラに電力を提供する、前記携帯型電気エネルギー貯蔵装置とは別の電源を更に含む、請求項１に記載の携帯型電気エネルギー貯蔵装置隔室システム。
【請求項１２】
携帯型電気エネルギー貯蔵装置隔室システムを動作させる方法であって、
前記携帯型電気エネルギー貯蔵装置隔室システムによって、携帯型電気エネルギー貯蔵装置を収容するように構成された隔室内の前記携帯型電気エネルギー貯蔵装置の危険状態に関する情報を受け取る段階と、
前記携帯型電気エネルギー貯蔵装置隔室システムによって、前記隔室内の前記携帯型電気エネルギー貯蔵装置の前記危険状態に関する情報に基づいて、携帯型電気エネルギー貯蔵装置隔室ロック機構のロックに関する決定を行う段階と、を含む方法。
【請求項１３】
前記携帯型電気エネルギー貯蔵装置隔室システムの通信モジュールによって、前記携帯型電気エネルギー貯蔵装置が接続された回路に結合された１つ以上のセンサから前記危険状態に関する情報を受信する段階と、
前記携帯型電気エネルギー貯蔵装置隔室システムの通信モジュールによって、前記携帯型電気エネルギー貯蔵装置隔室システムの少なくとも１つのコントローラに、前記少なくとも１つのコントローラが前記携帯型電気エネルギー貯蔵装置隔室ロック機構をロックすることを可能にする情報を通信する段階と、を更に含む、請求項１２に記載の方法。
【請求項１４】
受信した前記危険状態に関する情報は、前記携帯型電気エネルギー貯蔵装置が接続された回路の温度レベル、前記携帯型電気エネルギー貯蔵装置が接続された回路の電圧レベル、前記携帯型電気エネルギー貯蔵装置が接続された回路の電流レベル、前記携帯型電気エネルギー貯蔵装置の温度、及び前記携帯型電気エネルギー貯蔵装置が配置された隔室内部の温度のうちの１つ以上に関する情報を含む、請求項１３に記載の方法。
【請求項１５】
車両であって、
携帯型電気エネルギー貯蔵装置によって少なくとも部分的に電力供給される前記車両を推進させるモータと、
前記携帯型電気エネルギー貯蔵装置に結合され、前記モータに電力供給するために前記携帯型電気エネルギー貯蔵装置から引き出す電力の量を制御する電子制御ユニットと、
前記携帯型電気エネルギー貯蔵装置を収容するように構成された隔室と、
前記隔室のロック機構の少なくとも１つのコントローラと、
前記少なくとも１つのコントローラに結合された少なくとも１つの通信モジュールと、を含み、前記少なくとも１つのコントローラが、
前記少なくとも１つの通信モジュールを介して、前記隔室内の携帯型電気エネルギー貯蔵装置の危険状態に関する情報を受信し、
前記危険状態に関する情報の受信に応じて、
前記携帯型電気エネルギー貯蔵装置が、前記隔室をロックするのに望ましい状態かどうかを判定し、
前記携帯型電気エネルギー貯蔵装置が前記隔室をロックするのに望ましい状態であると判定された場合に、ユーザを危険状態から守るために前記隔室の前記ロック機構をロックする、車両。
【請求項１６】
前記少なくとも１つのコントローラが、
前記危険状態に関する前記情報の受信に応じて、前記電子制御ユニットに、前記隔室内の前記携帯型電気エネルギー貯蔵装置から引き出されている電力を減少又は除去する信号を送信する、請求項１５に記載の車両。
【請求項１７】
前記危険状態に関する前記情報が、前記携帯型電気エネルギー貯蔵装置と前記電子制御ユニットが接続された回路の危険電流レベルを示す、請求項１６に記載の車両。
【請求項１８】
携帯型電気エネルギー貯蔵装置であって、
少なくとも１つの携帯型の電気エネルギー貯蔵装置セルと、
前記少なくとも１つの携帯型電気エネルギー貯蔵装置セルと少なくとも１つのコントローラに結合された１つ以上のセンサと、を含み、前記１つ以上のセンサが、前記携帯型電気エネルギー貯蔵装置の危険状態を示す状態を検出し、前記危険状態を示す状態が、前記携帯型電気エネルギー貯蔵装置が接続された回路の温度レベル、前記携帯型電気エネルギー貯蔵装置が接続された回路の電圧レベル、前記携帯型電気エネルギー貯蔵装置が接続された回路の電流レベル、前記携帯型電気エネルギー貯蔵装置の温度、前記携帯型電気エネルギー貯蔵装置が配置された隔室内部の温度、及び前記携帯型電気エネルギー貯蔵装置が接続された回路の短絡のうちの１つ以上に関する状態を含み、
前記少なくとも１つのコントローラに結合された少なくとも１つの通信モジュールを更に含み、前記少なくとも１つの通信モジュールが、危険状態を示す状態に関する情報を前記少なくとも１つのコントローラに通信し、前記少なくとも１つのコントローラが、前記危険状態に関する情報の受信に応じて、
前記携帯型電気エネルギー貯蔵装置が前記隔室をロックするのに望ましい状態かどうかを判定し、
前記携帯型電気エネルギー貯蔵装置が前記隔室をロックするのに望ましい状態であると判定した場合に、前記携帯型電気エネルギー貯蔵装置隔室ロック機構を作動させる信号を送信する、携帯型電気エネルギー貯蔵装置。
【請求項１９】
前記少なくとも１つの通信モジュールが、危険状態を示す状態に関する情報を外部装置に通信する、請求項１８に記載の携帯型電気エネルギー貯蔵装置。
【請求項２０】
前記少なくとも１つの通信モジュールが、危険状態を示す状態に関する情報を前記外部装置に無線通信する、請求項１９に記載の携帯型電気エネルギー貯蔵装置。
【発明の詳細な説明】
【技術分野】
【０００１】
本開示は、一般に電力貯蔵装置故障、及び詳細には車両内の電力貯蔵装置故障に関する。
【背景技術】
【０００２】
携帯型電気エネルギー貯蔵装置には様々な使用法又は用途がある。
【０００３】
１つのそのような用途は、輸送の分野である。ハイブリッド及び完全電気車両は、ますます一般的になってきている。そのような車両は、従来の内燃機関車両よりも優れた幾つかの利点を達成することがある。例えば、ハイブリッド又は電気車両は、より高い燃料経済性を達成し、排気ガスがほとんどない。詳細には、完全電気車両は、排気汚染がないだけでなく、汚染全体の低さと関連付けられることがある。例えば、電力は、再生可能電源（例えば、太陽電池や水力）から生成される。また、例えば、電力は、空気汚染を生じない発電所（例えば、原子力発電所）で生成されることがある。また、例えば、電力は、比較的「クリーンに燃焼する」燃料（例えば、天然ガス）を燃やす発電所で生成され、この発電所は、内燃機関より効率が高く、かつ／又は個人用車両で使用するには大きさ、コスト、又は価格が高過ぎる汚染制御又は除去システム（例えば、産業用空気スクラバ）を使用する。
【０００４】
燃焼エンジン式スクータやモータバイクなどの個人用輸送車両は、多くの場所、例えばアジアの多くの大都市ではどこにでもある。そのようなスクータ及び／又はモータバイクは、特に自動車、車両又はトラックより安価な傾向がある。また、多数の内燃機関スクータ及び／又はモータバイクがある都市は、きわめて人口密度が高く、また高度な空気汚染を受けやすい。多くの内燃機関スクータ及び／又はモータバイクは、新しいとき、個人輸送の比較的低い汚染源を提供する。例えば、そのようなスクータ及び／又はモータバイクは、大型車両より高い燃費を有することがある。更に、幾つかのスクータ及び／又はモータバイクは、基本的な汚染制御機器（例えば、触媒コンバータ）を装備していることもある。残念ながら、工場で規定された排気レベルは、スクータ及び／又はモータバイクが使用された場合にすぐに超過し、かつ／又はスクータ及び／又はモータバイクが、例えば触媒コンバータの意図的又は非意図的取り外しによって改造された場合には維持されない。スクータ及び／又はモータバイクの所有者又は運転者には、自分の車両を保守する財源や動機が欠けていることが多い。
【０００５】
空気汚染は、様々な疾病の発生及び悪化と関連する人間の健康に悪影響を及ぼす（例えば、多数の報告書は、空気汚染を肺気腫、喘息、肺炎、嚢胞性繊維症及び様々な心血管疾患と結び付けている）。そのような疾病は、多くの生命を奪い、数え切れない人の生活の質を極度に低下させる。
【発明の概要】
【課題を解決するための手段】
【０００６】
携帯型電気エネルギー貯蔵装置隔室システムは、少なくとも１つのコントローラと、少なくとも１つのコントローラに結合された少なくとも１つの通信モジュールとを含むように要約されてもよく、少なくとも１つのコントローラは、少なくとも１つの通信モジュールを介して、携帯型電気エネルギー貯蔵装置を収容するように構成された隔室内の携帯型電気エネルギー貯蔵装置の危険状態に関する情報を受信し、危険状態に関する情報の受信に応じて、携帯型電気エネルギー貯蔵装置が隔室をロックするのに望ましい状態かどうかを判定し、携帯型電気エネルギー貯蔵装置が隔室をロックするのに望ましい状態であると判定された場合に、ユーザを危険状態から守るために隔室の携帯型電気エネルギー貯蔵装置隔室ロック機構をロックする。隔室をロックするのに望ましい状態は、携帯型電気エネルギー貯蔵装置が接続された回路の温度レベル、電圧レベル及び電流レベルの１つ以上が、特定のそれぞれのしきい値を超える状態でよい。危険状態は、隔室内の携帯型電気エネルギー貯蔵装置の潜在的又は既存の破局故障でよい。隔室をロックするのに望ましい状態は、携帯型電気エネルギー貯蔵装置の温度レベルと隔室内部の温度レベルの１つ以上が、特定のそれぞれのしきい値を超えた状態でよい。少なくとも１つの通信モジュールは、携帯型電気エネルギー貯蔵装置が接続された回路に結合された１つ以上のセンサから危険状態に関する情報を受け取ってもよく、少なくとも１つのコントローラに情報を通信して、少なくとも１つのコントローラが携帯型電気エネルギー貯蔵装置隔室ロック機構をロックすることを可能にしてもよい。
【０００７】
携帯型電気エネルギー貯蔵装置隔室システムは、更に、少なくとも１つのコントローラに結合された携帯型電気エネルギー貯蔵装置隔室ロック機構と、少なくとも１つのコントローラに結合され危険状態を示す状態を検出する１つ以上のセンサとを含んでもよく、危険状態を示す状態は、携帯型電気エネルギー貯蔵装置が接続された回路の温度レベル、携帯型電気エネルギー貯蔵装置が接続された回路の電圧レベル、携帯型電気エネルギー貯蔵装置が接続された回路の電流レベル、携帯型電気エネルギー貯蔵装置の温度、携帯型電気エネルギー貯蔵装置が配置された隔室内部の温度、携帯型電気エネルギー貯蔵装置が接続された回路の短絡のうちの１つ以上に関する状態を含み、少なくとも１つのコントローラは、１つ以上のセンサによって検出された危険状態を示す条件に基づいて、携帯型電気エネルギー貯蔵装置が隔室をロックするのに望ましい状態にあると判定した場合に、携帯型電気エネルギー貯蔵装置隔室ロック機構をロックするように制御信号を送信する。
【０００８】
少なくとも１つのコントローラは、更に、危険状態が存在しなくなったことに関する情報とロック機構オーバライド動作の性能の１つ以上に基づいて、携帯型電気エネルギー貯蔵装置のロック解除に関する決定を行うように構成されてもよい。構成された携帯型電気エネルギー貯蔵装置隔室システムは、車両に結合されてもよい。構成された携帯型電気エネルギー貯蔵装置隔室システムは、収集・充電及び分配装置に結合されてもよい。少なくとも１つのコントローラは、外部装置に送信される無線信号によって、危険状態に関する情報に関する情報を外部装置に送信してもよい。
【０００９】
携帯型電気エネルギー貯蔵装置隔室システムは、更に、少なくとも１つのコントローラと携帯型電気エネルギー貯蔵装置隔室ロック機構とに結合されて、携帯型電気エネルギー貯蔵装置隔室ロック機構と少なくとも１つのコントローラに電力を提供する、携帯型電気エネルギー貯蔵装置とは別の電源を含んでもよい。
【００１０】
携帯型電気エネルギー貯蔵装置隔室システムを動作させる方法が、携帯型電気エネルギー貯蔵装置隔室システムによって、携帯型電気エネルギー貯蔵装置を収容するように構成された隔室内の携帯型電気エネルギー貯蔵装置の危険状態に関する情報を受け取ることと、携帯型電気エネルギー貯蔵装置隔室システムによって、隔室内の携帯型電気エネルギー貯蔵装置の危険状態に関する情報に基づいて、携帯型電気エネルギー貯蔵装置隔室ロック機構のロックに関する決定を行うことを含むように要約されうる。
【００１１】
方法は、更に、携帯型電気エネルギー貯蔵装置隔室システムの通信モジュールによって、携帯型電気エネルギー貯蔵装置が接続された回路に結合された１つ以上のセンサからの危険状態に関する情報を受け取る段階と、携帯型電気エネルギー貯蔵装置隔室システムの通信モジュールによって、少なくとも１つのコントローラが携帯型電気エネルギー貯蔵装置隔室ロック機構をロックすることを可能にする情報を、携帯型電気エネルギー貯蔵装置隔室システムの少なくとも１つのコントローラに通信する段階とを含みうる。受け取った危険状態に関する情報は、携帯型電気エネルギー貯蔵装置が接続された回路の温度レベル、携帯型電気エネルギー貯蔵装置が接続された回路の電圧レベル、携帯型電気エネルギー貯蔵装置が接続された回路の電流レベル、携帯型電気エネルギー貯蔵装置の温度、携帯型電気エネルギー貯蔵装置が配置された隔室内部の温度のうちの１つ以上に関する情報を含んでもよい。
【００１２】
車両は、携帯型電気エネルギー貯蔵装置によって少なくとも部分的に電力供給される車両を推進させるモータと、携帯型電気エネルギー貯蔵装置に結合され、モータに電力供給するために携帯型電気エネルギー貯蔵装置から引き出す電力の量を制御する電子制御ユニットと、携帯型電気エネルギー貯蔵装置を収容するように構成された隔室と、隔室のロック機構の少なくとも１つのコントローラと、少なくとも１つのコントローラに結合された少なくとも１つの通信モジュールとを含み、少なくとも１つのコントローラが、少なくとも１つの通信モジュールを介して隔室内の携帯型電気エネルギー貯蔵装置の危険状態に関する情報を受信し、危険状態に関する情報の受信に応じて、携帯型電気エネルギー貯蔵装置が隔室をロックするのに望ましい状態かどうかを判定し、携帯型電気エネルギー貯蔵装置が隔室をロックするのに望ましい状態であると判定された場合に、ユーザを危険状態から守るために隔室の携帯型電気エネルギー貯蔵装置隔室ロック機構をロックするように要約されてもよい。少なくとも１つのコントローラが、危険状態に関する情報の受信に応じて、電子制御ユニットに、隔室内の携帯型電気エネルギー貯蔵装置から引き出されている電力を減少又は除去する信号を送信してもよい。危険状態に関する情報は、携帯型電気エネルギー貯蔵装置と電子制御ユニットが接続された回路の危険な電流レベルを示してもよい。
【００１３】
携帯型電気エネルギー貯蔵装置は、少なくとも１つの携帯型の電気エネルギー貯蔵装置セルと、少なくとも１つの携帯型の電気エネルギー貯蔵装置電池及び少なくとも１つのコントローラに結合された１つ以上のセンサとを含み、１つ以上のセンサが、携帯型電気エネルギー貯蔵装置の危険状態を示す状態を検出し、危険状態を示す状態が、携帯型電気エネルギー貯蔵装置が接続された回路の温度レベル、携帯型電気エネルギー貯蔵装置が接続された回路の電圧レベル、携帯型電気エネルギー貯蔵装置が接続された回路の電流レベル、携帯型電気エネルギー貯蔵装置の温度、携帯型電気エネルギー貯蔵装置が配置された隔室内部の温度、携帯型電気エネルギー貯蔵装置が接続された回路の短絡のうちの１つ以上に関する状態を含むように要約されてもよい。
【００１４】
携帯型電気エネルギー貯蔵装置は、更に、少なくとも１つのコントローラに結合された少なくとも１つの通信モジュールを含んでもよく、少なくとも１つの通信モジュールが、危険状態を示す状態に関する情報を少なくとも１つのコントローラに通信し、少なくとも１つのコントローラが、危険状態に関する情報の受信に応じて、携帯型電気エネルギー貯蔵装置が、隔室をロックするのに望ましい状態かどうかを判定し、携帯型電気エネルギー貯蔵装置が、隔室をロックするのに望ましい状態であると判定した場合に、携帯型電気エネルギー貯蔵装置隔室ロック機構を作動させる信号を送信する。少なくとも１つの通信モジュールは、危険状態を示す状態に関する情報を外部装置に通信してもよい。少なくとも１つの通信モジュールは、危険状態を示す状態に関する情報を外部装置に無線で通信してもよい。
【００１５】
図面では、同一の参照番号は、類似の要素又は行為を示す。図面内の要素のサイズ及び相対位置は、必ずしも一律の倍率で描かれていない。例えば、様々な要素の形状及び角度は、一律の倍率で描かれておらず、そのような要素の幾つかは、図面の可読性を改善するために拡大され位置決めされている。更に、描かれたような要素の特定形状は、特定要素の実際形状に関するいかなる情報を伝えるものでなく、単に図面内で認識を容易にするように選択された。
【図面の簡単な説明】
【００１６】
【図１】１つの非限定的な示された実施形態による幾つかの電力貯蔵装置と一緒の収集・充電及び分配装置を、１つの非限定的な示された実施形態による電力貯蔵装置隔室を有する電気スクータ又はモータバイク、及び送電網を介して提供される電気設備と共に示す概略図である。
【図２】１つの非限定的な示された実施形態による図１の収集・充電及び分配装置のブロック図である。
【図３Ａ】１つの非限定的な示された実施形態による、図１のスクータ又はモータバイクの携帯型電気エネルギー貯蔵装置用の携帯型電気エネルギー貯蔵装置隔室ロックシステムのブロック図である。
【図３Ｂ】１つの非限定的な示された実施形態による、図１の収集・充電及び分配装置用の携帯型電気エネルギー貯蔵装置隔室ロックシステムのブロック図である。
【図４】１つの非限定的な示された実施形態による図３Ａのロック機構コントローラの概略図である。
【図５】１つの非限定的な示された実施形態による、図３Ａの携帯型ロック機構コントローラに結合された図１の携帯型電気エネルギー貯蔵装置を収容するように構成された、ロックされた空の携帯型電気エネルギー貯蔵装置隔室の断面正面図である。
【図６】１つの非限定的な図示された代替実施形態による、ロック解除された開状態の図５の空の携帯型電気エネルギー貯蔵装置隔室の断面正面図である。
【図７】１つの非限定的な示された代替実施形態による、図１の携帯型電気エネルギー貯蔵装置を収容し、携帯型電気エネルギー貯蔵装置隔室ロックシステムの携帯型電気エネルギー貯蔵装置安全センサに結合された、ロック状態の図５の携帯型電気エネルギー貯蔵装置隔室の断面正面図である。
【図８】１つの非限定的な示された実施形態による図３〜図７のロック機構コントローラを操作する方法を示す流れ図である。
【図９】１つの非限定的な示された実施形態による、図３〜図７のロック機構コントローラが、携帯型電気エネルギー貯蔵装置隔室ロック機構をロックする方法を示す流れ図である。
【図１０】１つの非限定的な示された実施形態による、図３〜図７のロック機構コントローラが、携帯型電気エネルギー貯蔵装置から引き出されている電力を減少又は除去する信号を電子制御ユニットに送る方法を示す流れ図である。
【発明を実施するための形態】
【００１７】
以下の説明では、様々な開示された実施形態の完全な理解を提供するために、幾つかの特定の具体的な詳細が説明される。しかしながら、当業者は、実施形態が、１つ以上のそのような特定の詳細なしに、又は他の方法、構成要素、材料などによって実施されうることを理解するであろう。他の例では、販売装置、バッテリ、ロック機構、無線技術、スーパーキャパシタ、ウルトラキャパシタ、温度センサ、電圧計、電流計、マルチメータ、及び変圧器や整流器、ＤＣ／ＤＣ電力変換器、スイッチモード電力変換器を含むがこれらに限定されない電力変換器、コントローラ、並びに通信システム、構造及びネットワークと関連した周知の構造は、実施形態の記述を無駄に不明瞭にするのを回避するために、詳細に図示されず説明されない。
【００１８】
文脈で特に必要とされない限り、以下の明細と特許請求の範囲全体にわたって、言葉「comprise」及び「comprises」や「comprising」などのその変形は、「including, but not limited to」という開かれた包括的な意味に解釈されるべきである。
【００１９】
本明細書全体にわたって「one embodiment」又は「an embodiment」の参照は、実施形態に関して述べられた特定の特徴、構造又は特性が、少なくとも１つの実施形態に含まれることを意味する。したがって、本明細書全体にわたる様々な場所にある語句「in one embodiment」又は「in an embodiment」の使用は、必ずしも全て同じ実施形態を指すとは限らない。
【００２０】
第１、第２、第３などの序数の使用は、必ずしも順序の格付けを意味せず、単に行為又は構造の複数の例を区別するだけのことがある。
【００２１】
携帯型電気エネルギー貯蔵装置に関する言及は、電力を貯蔵し、貯蔵電力を放出可能な任意の装置（バッテリ、スーパーキャパシタ又はウルトラキャパシタを含むがこれらに限定されない）を意味する。バッテリに関する言及は、化学的蓄電池（例えばニッケルカドミウム合金又はリチウムイオン電池を含むがこれらに限定されない充電式又は二次電池）を意味する。
【００２２】
本明細書に示された見出しと開示の要約は、単に便宜のためであり、実施形態の範囲や意味を解釈しない。
【００２３】
図１は、１つの示された実施形態による収集・充電及び分配装置１０２を含む環境１００を示す。
【００２４】
収集・充電及び分配装置１０２は、自動販売機又はキオスクの形態をとることがある。収集・充電及び分配装置１０２は、収集、充電及び分配のために携帯型電気エネルギー貯蔵装置（例えば、バッテリ、スーパーキャパシタ又はウルトラキャパシタ）１０６ａ〜１０６ｎ（集合的に１０６）を取り外し可能に収容する複数の受器、隔室又はレセプタクル１０４ａ、１０４ｂ〜１０４ｎ（図１には３つだけ示した。集合的に１０４）を有する。図１に示されたように、受器１０４の幾つかは中空であり、他の受器１０４は、携帯型電気エネルギー貯蔵装置１０６を収容している。図１は、１台の受器１０４につき単一の携帯型電気エネルギー貯蔵装置１０６を示すが、幾つかの実施形態では、各受器１０４が、２台以上の携帯型電気エネルギー貯蔵装置１０６を収容してもよい。例えば、受器１０４はそれぞれ、３つの携帯型電気エネルギー貯蔵装置１０６を収容するのに十分な深さでよい。したがって、例えば、図１に示された収集・充電及び分配装置１０２は、４０、８０又は１２０台の携帯型電気エネルギー貯蔵装置１０６を同時に収容可能な容量を有することがある。
【００２５】
携帯型電気エネルギー貯蔵装置１０６は、様々な形態、例えばバッテリ（例えば、バッテリセルのアレイ）、スーパーキャパシタ、ウルトラキャパシタ（例えば、ウルトラキャパシタセルのアレイ）でよい。例えば、携帯型電気エネルギー貯蔵装置１０６ｚは、充電式バッテリ（即ち、二次電池又はバッテリ）の形態をとってもよい。携帯型電気エネルギー貯蔵装置１０６ｚは、例えば、完全電気スクータ又はモータバイク１０８などの個人用輸送車両に物理的に適合し電力供給するようにサイズ決めされてもよく、完全電気スクータ又はモータバイク１０８の携帯型電気エネルギー貯蔵装置隔室内に物理的に収まるようにサイズ決めされてもよい。前述したように、内燃機関スクータ及びモータバイクは、例えばアジア、ヨーロッパ及び中東の多くの大都市で一般的である。都市又は地方の至る所で充電バッテリを便利に利用できると、内燃機関スクータ及びモータバイクの代わりに完全電気スクータ及びモータバイク１０８を使用し易くなり、それにより、空気汚染が緩和され騒音が減少する。
【００２６】
携帯型電気エネルギー貯蔵装置１０６（携帯型電気エネルギー貯蔵装置１０６ｚだけを示した）は、携帯型電気エネルギー貯蔵装置１０６ｚの外部からアクセス可能な幾つかの電気端子１１０ａ，１１０ｂ（２つだけを示す。集合的に１１０）を備えてもよく、また携帯型電気エネルギー貯蔵装置１０６ｚが完全電気スクータ又はモータバイク１０８の携帯型電気エネルギー貯蔵装置隔室内にあるときにアクセス可能でよい。電気端子１１０は、電荷を携帯型電気エネルギー貯蔵装置１０６ｚから送出することを可能にし、また電気エネルギー貯蔵装置１０６ｚを充放電するために電荷を電気エネルギー貯蔵装置１０６ｚに送出することを可能にする。図１では柱として示されているが、電気端子１１０は、バッテリのハウジングのスロットとバッテリ室内に位置決めされた電気端子を含む、携帯型電気エネルギー貯蔵装置１０６ｚと携帯型電気エネルギー貯蔵装置隔室の外部からアクセス可能な任意の他の形態を取ってもよい。
【００２７】
携帯型電気エネルギー貯蔵装置１０６が、車両内で使用されている間又は収集・充電及び分配装置１０２内で充電又は格納されているときに危険状態に遭遇することがあるので、そのような状態が起きたときに携帯型電気エネルギー貯蔵装置１０６が現在収容されている隔室をロックすることが望ましいことがある。そのような危険状態は、短絡、システム誤動作、環境条件又は他の破局的故障によって引き起こされる過熱、溶融又は爆発により生じることがある。そのような状態が起きているときに携帯型電気エネルギー貯蔵装置が現在収容されている隔室のロックは、隔室内の危険状態を阻止するのを支援するか、そのような状態が存在するか切迫しているときに携帯型電気エネルギー貯蔵装置にアクセスしようとするユーザの怪我を防ぐ安全対策として行なわれることがある。携帯型電気エネルギー貯蔵装置隔室をいつ自動的にロック又はロック解除するかを制御するためのシステムを含む、携帯型電気エネルギー貯蔵装置隔室を動作させるシステム及び方法は、図３Ａ〜図１０を参照して後でより詳しく示され、本明細書に示された携帯型電気エネルギー貯蔵装置１０６の収集、充電及び分配のためにシステム全体で有効である。
【００２８】
収集・充電及び分配装置１０２は、収集・充電及び分配装置１０２が様々なエンドユーザによって便利かつ容易にアクセス可能な幾つかの場所１１２に位置決めされる。場所は、様々な形態、例えばコンビニエンスストア、スーパーマーケット、ガス又はガソリンスタンド、サービスセンターなどの小売業環境でもよい。あるいは、収集・充電及び分配装置１０２は、例えば公園や他の公共場所内の既存の小売業や他の事業と関連しない場所１１２で単独でよい。したがって、例えば、収集・充電及び分配装置１０２は、都市や地域全体にわたるコンビニエンスストアチェーンの各店に配置されてもよい。そのような装置は、有利には、コンビニエンスストアが、標的集団又は人口統計に対する利便性に基づいて設置又は分散されるという事実によることがある。そのような装置は、有利には、収集・充電及び分配装置１０２の大規模なネットワークを都市又は地域内で迅速に構築することを可能にするために、店先や他の小売位置の既存の賃貸契約に依存してもよい。完全電気スクータ又はモータバイク１０８に使用されている携帯型電気エネルギー貯蔵装置１０６の便利な交換とセキュリティを提供する大規模ネットワークの迅速な達成は、そのようなシステムとそのような努力の有望な商業的成功に依存する能力を高める。
【００２９】
場所１１２は、例えば格子１１６によって発電所（図示せず）から電力を受け取る電気設備１１４を含むことがある。電気設備１１４には、例えば、電気サービスメータ１１４ａ、回路パネル（例えば、回路遮断器パネル又はヒューズボックス）１１４ｂ、配線１１４ｃ及び電気コンセント１１４ｄのうちの１つ以上が含まれうる。場所１１２が既存の小売店又はコンビニエンスストアの場合、電気設備１１４は、既存の電気設備のことがあり、したがって、定格がある程度制限されることがある（例えば、１２０ボルト、２４０ボルト、２２０ボルト、２３０ボルト、１５アンペア）。
【００３０】
必要に応じて、収集・充電及び分配装置１０２は、再生可能電源を含むかそれに結合されてもよい。例えば、野外に設置された場合、収集・充電及び分配装置１０２は、日射から電力を生成する光起電力（ＰＶ）電池１１８のアレイを含むことがある。あるいは、収集・充電及び分配装置１０２は、例えば屋根上の場所１１２のどこかに位置決めされるかポール（図示せず）の上端に取り付けられたマイクロタービン（例えば、風力タービン）又はＰＶアレイに電気的に結合されてもよい。
【００３１】
収集・充電及び分配装置１０２は、バックエンド又はバックオフィスシステム（１つだけ示した）１２０などの１つ以上のリモート配置されたコンピュータシステムに通信で結合されてもよい。バックエンド又はバックオフィスシステム１２０は、都市などの地域のまわりに分散された複数の収集・充電及び分配装置１０２からデータを収集しかつ／又は装置１０２を制御してもよい。幾つかの実施形態では、バックエンド又はバックオフィスシステム１２０は、収集・充電及び分配装置１０２によって完全電気スクータ又はモータバイク１０８又は他の車両に送られる無線信号１１９に含まれる１つ以上のコードを生成、追跡かつ／又は受信することなどによって、複数の携帯型電気エネルギー貯蔵装置１０６からデータを収集しかつ／又は装置１０６を制御してもよい。１つ以上のコードを送信しかつ／又は受信することによって、完全電気スクータ又はモータバイク１０８が、収集・充電及び分配装置１０２又は他の許可された外部装置の近くにある間に、それぞれの完全電気スクータ又はモータバイク１０８内に携帯型電気エネルギー貯蔵装置１０６ｚを配置するための、携帯型電気エネルギー貯蔵装置１０６の携帯型電気エネルギー貯蔵装置隔室へのアクセスを可能にする。バックエンド又はバックオフィスシステム１２０と、収集・充電及び分配装置１０２との間の通信は、１つ以上のネットワーク１２２又は非ネットワーク接続通信チャネルを含む１つ以上の通信チャネルを介して行われてもよい。また、幾つかの実施形態では、バックエンド又はバックオフィスシステム１２０は、例えば、収集・充電及び分配装置１０２から、携帯型電気エネルギー貯蔵装置１０６から、及び／又は完全電気スクータ又はモータバイク１０８若しくは他の車両から送信された無線信号１１９に含まれる携帯型電気エネルギー貯蔵装置１０６の危険状態に関する情報を追跡、送信しかつ／又は受信することによって、複数の携帯型電気エネルギー貯蔵装置１０６からデータを収集しかつ／又は装置１０６を制御してもよい。通信は、１つ以上の有線通信チャネル（例えば、撚線対線、光ファイバ）、無線通信チャネル（例えば、高周波、マイクロ波、衛星、８０１．１１準拠）を介して行われてもよい。ネットワーク接続された通信チャネルは、１つ以上のローカルエリアネットワーク（ＬＡＮ）、広域ネットワーク（ＷＡＮ）、エクストラネット、イントラネット又はインターネットのワールドワイドウェブ部分を含むインターネットを含んでもよい。
【００３２】
収集・充電及び分配装置１０２は、ユーザインタフェース１２４を含んでんもよい。ユーザインタフェースは、エンドユーザが収集・充電及び分配装置１０２と対話することを可能にする様々な入出力（Ｉ／Ｏ）装置を含んでもよい。種々の入出力装置は、以下に図２に関して列挙され説明される。
【００３３】
図２は、１つの示された実施形態による図１の収集・充電及び分配装置１０２を示す。
【００３４】
収集・充電及び分配装置１０２は、制御サブシステム２０２、充電サブシステム２０４、通信サブシステム２０６及びユーザインタフェースサブシステム２０８を含む。
【００３５】
制御サブシステム２０２は、コントローラ２１０、例えば、マイクロプロセッサ、マイクロコントローラ、プログラマブルロジックコントローラ（ＰＬＣ）、プログラマブルゲートアレイ（ＰＧＡ）、特定用途向け集積回路（ＡＳＩＣ）、又は様々なセンサから信号を受信し、論理演算を実行し、信号を様々な構成要素に送信可能な別のコントローラを含む。典型的には、コントローラ２１０は、マイクロプロセッサ（例えば、ＩＮＴＥＬ、ＡＭＤ、ＡＴＯＭ）の形態をとってもよい。制御サブシステム２０２は、また、１つ以上の非一時的プロセッサ又はコンピュータ可読記憶媒体、例えば、読み出し専用メモリ（ＲＯＭ）２１２、ランダムアクセスメモリ（ＲＡＭ）２１４、データストア２１６（例えば、フラッシュメモリやＥＥＰＲＯＭなどのソリッドステート記憶媒体又はハードディスクなどの回転記憶媒体）を含んでもよい。非一時的プロセッサ又はコンピュータ可読記憶媒体２１２、２１４、２１６は、コントローラ２１０の一部である任意の非一時的記憶媒体（例えば、レジスタ）に追加されてもよい。例えば、制御サブシステム２０２は、様々な構成要素を結合する１つ以上のバス２１８（１つだけ示した）、例えば、１つ以上の電力バス、命令バス、データバスなどを含んでもよい。
【００３６】
図示されたように、ＲＯＭ  ２１２、又は非一時的プロセッサ若しくはコンピュータ可読記憶媒体２１２、２１４、２１６の幾つかの他のものは、命令及び／あるいは変数又はパラメータのデータ又は値を記憶する。データセットは、様々な形態（例えば、ルックアップ表、データベース内の１組のレコードなど）を取ってもよい。命令とデータ又は値のセットは、コントローラ２１０によって実行可能である。命令並びにデータ又は値のセットを実行することによって、コントローラ２１０は、収集・充電及び分配装置１０２に、携帯型エネルギー蓄積装置を収集、充電及び分配させ、完全電気スクータ又はモータバイク１０８のそれぞれの携帯型電気エネルギー貯蔵装置隔室内又は収集・充電及び分配装置１０２のそれぞれの隔室又はレセプタクル１０４ａ、１０４ｂ〜１０４ｎ内にある携帯型電気エネルギー貯蔵装置１０６の危険状態に関する情報を受信させる。本明細書では、収集・充電及び分配装置１０２の特定の動作は、携帯型電気エネルギー貯蔵装置１０６の危険状態が検出されたときに収集・充電及び分配装置１０２のそれぞれの隔室又はレセプタクル１０４ａ、１０４ｂ〜１０４ｎをロックする文脈で、図３Ｂ〜図１０を参照して後述される。
【００３７】
コントローラ２１０は、命令やデータなどの非持久記憶のために、ＲＡＭ２１４を従来の方法で使用してもよい。コントローラ２１０は、データストア２１６を使用して、スクータ又はモータバイク１０８が収集・充電及び分配装置１０２の近くにある間に携帯型電気エネルギー貯蔵装置隔室へのアクセスを可能にする情報（例えば、１つ以上のコード）及び／又は収集・充電及び分配装置１０２自体の動作と関連した情報をログ記録又は収容してもよい。命令は、コントローラ２１０によって、エンドユーザ又はオペレータ入力に応じて、変数又はパラメータのデータ又は値を使用して収集・充電及び分配装置１０２の動作を制御するために実行可能である。
【００３８】
制御サブシステム２０２は、収集・充電及び分配装置１０２の様々なセンサ及び／又は他の構成要素から、携帯型電気エネルギー貯蔵装置１０６を含む他のそのような構成要素の動作、状態又は条件を特徴付けるかその動作、状態又は条件を示す情報を含む信号を受け取る。センサは、図２では、丸の中に適切な下付き文字と共に表された文字Ｓによって表わされる。
【００３９】
例えば、１つ以上の位置センサＳP1〜ＳPNは、受器又は隔室１０４のそれぞれにおける携帯型電気エネルギー貯蔵装置１０６の有無を検出してもよい。位置センサＳP1〜ＳPNは、様々な形態をとってもよい。例えば、位置センサＳP1〜ＳPNは、携帯型電気エネルギー貯蔵装置１０６が受器１０４に挿入されたときにそれぞれの携帯型電気エネルギー貯蔵装置１０６の一部分と接触したときに閉じられるか、あるいは開かれる機械スイッチの形態をとってもよい。例えば、位置センサＳP1〜ＳPNは、携帯型電気エネルギー貯蔵装置１０６が受器１０４に挿入されたときにそれぞれの携帯型電気エネルギー貯蔵装置１０６の一部分と接触したときに閉じられるか開かれる光スイッチ（例えば、光源及び受器）の形態をとってもよい。また、例えば、位置センサＳP1〜ＳPNは、携帯型電気エネルギー貯蔵装置１０６が受器１０４に挿入されたときにそれぞれの携帯型電気エネルギー貯蔵装置１０６の端子１１０との接触によって作り出される閉回路状態、又はそれぞれの携帯型電気エネルギー貯蔵装置１０６が受器１０４内にないことにより起こる開回路状態を検出したときに閉じられるか開かれる電気センサ又はスイッチの形態を取ってもよい。これらの例は、非限定的であり、受器内の携帯型電気エネルギー貯蔵装置１０６の有無又は挿入を検出するための他の任意の構造及び装置が使用されうることに注意されたい。
【００４０】
例えば、１つ以上の充電センサＳC1〜ＳCNは、受器１０４のそれぞれにおける携帯型電気エネルギー貯蔵装置１０６の充電を検出してもよい。充電センサＳC1〜ＳCNは、携帯型電気エネルギー貯蔵装置１０６によって蓄えられた電荷量を検出してもよい。充電センサＳC1〜ＳCNは、更に、受器１０４のそれぞれにおける携帯型電気エネルギー貯蔵装置１０６の１つに供給される電荷の量及び／又は充電率を検出してもよい。充電センサＳC1〜ＳCNは、各携帯型電気エネルギー貯蔵装置１０６の現在の（即ち、一時的な）充電状態又は状況の評価を可能にし、更に充電率の制御を含む、携帯型電気エネルギー貯蔵装置１０６の充電のフィードバック制御を可能にしてもよい。充電センサＳC1〜ＳCNは、任意の種類の電流及び／又は電圧センサを含んでもよい。例えば、１つ以上の充電センサＳＴ１（１つだけ示された）は、受器１０４又は周囲環境における温度を検出又は感知してもよい。そのようなセンサは、個々又は組み合わせで動作して、それぞれの受器又は隔室（例えば、１０４ｎ）内のそれぞれの携帯型電気エネルギー貯蔵装置１０６（例えば、携帯型電気エネルギー貯蔵装置１０６ｎ）の１つ以上の危険状態を検出してもよい。例えば、これは、例えば、携帯型電気エネルギー貯蔵装置１０６ｎが接続された回路の温度レベル、携帯型電気エネルギー貯蔵装置１０６ｎが接続された回路の電圧レベル、携帯型電気エネルギー貯蔵装置１０６ｎが接続された回路の電流レベル、携帯型電気エネルギー貯蔵装置１０６ｎの温度、携帯型電気エネルギー貯蔵装置１０６ｎが配置された隔室又は受器１０４ｎの内部の温度、携帯型電気エネルギー貯蔵装置１０６ｎが接続された回路の短絡などのうちの１つ以上に基づくがこれらに限定されない。
【００４１】
制御サブシステム２０２は、制御信号に応じて様々なアクチュエータ及び／又は他の構成要素に信号を提供し、この信号は、構成要素が実行する動作又は構成要素がなるべき状況又は状態を特徴付けるか示す情報を含む。制御信号、アクチュエータ又は制御信号に応じた他の構成要素は、図２に、丸の中に適切な下付文字と共に表された文字Ｃによって表わされる。
【００４２】
例えば、１つ以上のエンジン制御信号ＣA1〜ＣANは、１つ以上のアクチュエータ２２０（１つだけ示した）の動作に影響を及ぼすことがある。例えば、制御信号ＣA1は、アクチュエータ２２０を第１と第２の位置の間で移動させるか、アクチュエータ２２０によって生成される磁界を変化させることがある。アクチュエータ２２０は、ソレノイド、ステッピングモータなどの電動機又は電磁石を含むがこれらに限定されない様々な任意の形態をとってもよい。アクチュエータ２２０は、ラッチ、ロック又は他の保持機構２２２を動作させるように結合されてもよい。ラッチ、ロック又は他の保持機構２２２は、１つ以上の携帯型電気エネルギー貯蔵装置１０６（図１）を隔室又は受器１０４（図１）内に選択的に固定し、覆いかつ／又は収容してもよい。例えば、ラッチ、ロック又は他の保持機構２２２は、携帯型電気エネルギー貯蔵装置１０６（図１）のハウジングの一部分である補助構造（complimentary structure）に物理的に結合してもよい。あるいは、ラッチ、ロック又は他の保持機構２２２は、携帯型電気エネルギー貯蔵装置１０６（図１）のハウジングの一部分である補助構造に磁気的に結合してもよい。また例えば、ラッチ、ロック又は他の保持機構２２２は、受器１０４（図１）を開いてもよく、受器１０４を開いて、部分的又は完全に放電された携帯型電気エネルギー貯蔵装置１０６を充電のために収容してもよい。例えば、アクチュエータは、収容された携帯型電気エネルギー貯蔵装置１０６（図１）に対するアクセスを選択的に提供するか防止するために、受器１０４（図１）への扉を開きかつ／又は閉じてもよい。また例えば、アクチュエータは、ラッチ又はロックを開きかつ／又は閉じて、収容された携帯型電気エネルギー貯蔵装置１０６（図１）へのアクセスを選択的に提供するために、エンドユーザが、受器１０４（図１）への扉を開きかつ／又は閉じることを可能にする。また、例えば、制御信号ＣA1〜ＣANの１つ以上は、センサＳC1〜ＳCNの１つ以上から制御サブシステム２０２が受け取った情報に基づいて、制御サブシステム２０２が携帯型電気エネルギー貯蔵装置１０６ｎの危険状態を検出したときに、１つ以上のアクチュエータ２２０を動作させて、携帯型電気エネルギー貯蔵装置１０６ｎへのアクセスを阻止するか、隔室又は受器１０４ｎを閉じてもよい。例えば、そのような危険状態は、電流レベル、電圧レベル、温度などが妥当なしきい値レベルに達するというセンサＳC1〜ＳCNからの情報によって規定されてもよい。
【００４３】
制御サブシステム２０２は、充電サブシステム２０４の１つ以上のポート２２４ｂに制御信号を提供する１つ以上のポート２２４ａを備えてもよい。ポート２２４ａ，２２４ｂは、双方向通信を提供してもよい。制御サブシステム２０２は、ユーザインタフェースサブシステム２０８の１つ以上のポート２２６ｂに制御信号を提供する１つ以上のポート２２６ａを備えてもよい。ポート２２６ａ，２２６ｂは、双方向通信を提供してもよい。
【００４４】
充電サブシステム２０４は、受器１０４内に位置決め又は収容されたときに携帯型電気エネルギー貯蔵装置１０６を充電する様々な電気及び電子部品を含む。例えば、充電サブシステム２０４には、１つ以上の電力バス又は電力バスバー、リレー、接触器又は他のスイッチ（例えば、絶縁ゲートバイポーラトランジスタ又はＩＧＢＴ、金属酸化物半導体トランジスタ又はＭＯＳＦＥＴ）、整流器ブリッジ、電流センサ、地絡回路などが含まれうる。電力は、様々な任意の形態（例えば、端子、リード、ポストなど）を取ることができる接点を介して供給される。接点は、様々な構成要素の電気結合を可能にする。幾つかの可能な実施態様を図２に示す。そのような実施形態は、網羅的なものではない。追加の構成要素が使用されてもよく、他の構成要素が省略されてもよい。
【００４５】
図示した充電サブシステム２０４は、配線又はコード２３２を介して電気設備１１４（図１）から電力を受け取る第１の電力変換器２３０を含む。電力は、典型的には、単一の二相又は三相交流電力の形でよい。したがって、第１の電力変換器２３０は、例えば、交流波形を直流に整流し、電圧、電流及び位相を変換し、更に遷移と雑音を低減するために、電気設備１１４（図１）を介して受け取った電力を変換し他の方法で調整しなければならないことがある。したがって、第１の電力変換器２３０は、変圧器２３４、整流器２３６、ＤＣ／ＤＣ電力変換器２３８及びフィルタ２４０を含むことがある。
【００４６】
変圧器２３４は、電気設備１１４を介して受け取った電力を処理するための適切な定格を有する様々な市販変圧器の任意の形態をとりうる（図１）。幾つかの実施形態は、複数の変圧器を使用してもよい。変圧器２３４は、有利には、収集・充電及び分配装置１０２の構成要素と格子１１６との間のガルバニック分離を提供してもよい（図１）。整流器２３６は、任意の様々な形態（例えば、フルブリッジダイオード整流器又はスイッチモード整流器）を取ってもよい。整流器２３６は、交流電力を直流電力に変換するように操作されてもよい。ＤＣ／ＤＣ電力変換器２３８は、任意の様々な形態をとってもよい。例えば、ＤＣ／ＤＣ電力変換器２３８は、スイッチモードＤＣ／ＤＣ電力変換器（例えば、ハーフ又はフルブリッジ構成のＩＧＢＴ又はＭＯＳＦＥＴを使用する）の形態を取ってもよく、１つ以上のインダクタを含んでもよい。ＤＣ／ＤＣ電力変換器２３８は、ブーストコンバータ、バックコンバータ、同期バックコンバータ、バックブーストコンバータ又はフライバックコンバータを含む任意数のトポロジーを有しうる。フィルタ２４０は、電圧スパイクを抑制するか過渡現象及び／又は雑音を除去又は低減する１つ以上のキャパシタ、抵抗器、ツェナーダイオード又は他の素子を含んでもよい。
【００４７】
図示された充電サブシステム２０４は、再生可能電源（例えば、ＰＶアレイ１１８、図１）から電力を受け取ってもよい。そのような電力は、第１の電力変換器２３０によって変換又は調整されてもよく、例えば、変圧器２３６及び／又は整流器２３６を回避して、ＤＣ／ＤＣ電力変換器２３８に直接供給されてもよい。あるいは、図示された充電サブシステム２０４は、そのような電力を変換又は他の方法で調整する専用電力変換器を含んでもよい。
【００４８】
示された充電サブシステム２０４は、必要に応じて、携帯型電気エネルギー貯蔵装置１０６の他のものを充電するために、１つ以上の配線２４４を介して１つ以上の携帯型電気エネルギー貯蔵装置１０６（図１）から電力を受け取る第２の電力変換器２４２を含んでもよい。したがって、第２の電力変換器２４２は、例えば必要に応じて電圧又は電流を変換し、過渡現象と雑音を削減するために、携帯型電気エネルギー貯蔵装置１０６から受け取った電力を変換しかつ／又は他の方法で調整しなければならないことがある。したがって、第２の電力変換器２４２は、必要に応じて、ＤＣ／ＤＣ電力変換器２４６及び／又はフィルタ２４８を含むことがある。以上、種々のタイプのＤＣ／ＤＣ電力変換器及びフィルタについて述べた。
【００４９】
示した充電サブシステム２０４は、制御サブシステム２０２からポート２２４ａ，２２４ｂを介して提供された制御信号に応答する複数のスイッチ２５０を含む。スイッチは、第１の電力変換器２３０を介して両方の電気設備によって供給される電力と、第２の数又は組の携帯型電気エネルギー貯蔵装置１０６によって供給される電力の両方から充電される第１の数又は組の携帯型電気エネルギー貯蔵装置１０６を選択的に結合する働きをしてもよい。第１の数又は組の携帯型電気エネルギー貯蔵装置１０６は、単一の携帯型電気エネルギー貯蔵装置１０６、２台又はそれを超える携帯型電気エネルギー貯蔵装置１０６を含んでもよい。第２の数又は組の携帯型電気エネルギー貯蔵装置１０６は、単一の携帯型電気エネルギー貯蔵装置１０６、２台又はそれを超える携帯型電気エネルギー貯蔵装置１０６を含んでもよい。携帯型電気エネルギー貯蔵装置１０６は、図２では負荷Ｌ1、Ｌ2、ＬNとして表わされている。
【００５０】
通信サブシステム２０６は、更に、バックエンド又はバックオフィスシステム１２０（図１）の様々な構成要素、完全電気スクータ又はモータバイク１０８の様々な構成要素、携帯型電気エネルギー貯蔵装置１０６の様々な構成要素、及び／又は完全電気スクータ又はモータバイク１０８の携帯型電気エネルギー貯蔵装置隔室の様々な構成要素との通信を容易にする１つ以上の通信モジュール又は構成要素を含むことがある。通信サブシステム２０６は、例えば、１つ以上のモデム２５２及び／又は１つ以上のイーサネットカード又は他のタイプの通信カード又は構成要素２５４を含んでもよい。制御サブシステム２０２のポート２５６ａは、制御サブシステム２０２を通信サブシステム２０６のポート２５６ｂと通信で結合してもよい。通信サブシステム２０６は、有線及び／又は無線通信を提供してもよい。例えば、通信サブシステム２０６は、完全電気スクータ又はモータバイク１０８の様々な構成要素、携帯型電気エネルギー貯蔵装置１０６の様々な構成要素、及び／又は完全電気スクータ又はモータバイク１０８の携帯型電気エネルギー貯蔵装置隔室の様々な構成要素を含む、収集・充電及び分配装置１０２の外部にある様々な他の装置との短距離（例えば、Ｂｌｕｅｔｏｏｔｈ、近距離通信（ＮＦＣ）、無線周波数識別（ＲＦＩＤ）構成要素及びプロトコル）又は長距離無線通信（例えば、無線ＬＡＮ、衛星又はセルラーネットワークを介した）を可能にする構成要素を提供してもよい。通信サブシステム２０６は、様々なリモート構成要素又はシステムへの無線信号経路を提供するために１つ以上のポート、無線受信器、無線トランスミッタ又は無線トランシーバを含んでもよい。通信サブシステム２０６は、パケット交換通信プロトコル（ＴＣＰ／ＩＰ）、イーサネット又は他のネットワークプロトコルを含むネットワークトラフィックを処理するのに適した１つ以上のブリッジ又はルータを含んでもよい。
【００５１】
ユーザインタフェースサブシステム２０８は、１つ以上のユーザ入出力（Ｉ／Ｏ）構成要素を含む。例えば、ユーザインタフェースサブシステム２０８は、エンドユーザに情報を提示する働きをするタッチスクリーンディスプレイ２０８ａと、ユーザ選択の指示を受け取るグラフィカルユーザインタフェース（ＧＵＩ）とを含んでもよい。ユーザインタフェースサブシステム２０８は、キーボード又はキーパッド２０８ｂ、及び／又はエンドユーザがＧＵＩで情報を入力しかつ／又はユーザ選択可能アイコンを選択することを可能にするカーソルコントローラ（例えば、マウス、トラックボール、トラックパッド）（図示せず）を含んでもよい。ユーザインタフェースサブシステム２０８は、聴覚メッセージをエンドユーザに提供するスピーカ２０８ｃ及び／又は音声指示などの音声ユーザ入力を受け取るマイクロフォン２０８ｄを備えていてもよい。
【００５２】
ユーザインタフェースサブシステム２０８は、カードタイプ媒体２０９から情報を読み取るカードリーダ２０８ｅを備えてもよい。カードリーダ２０８ｅは、様々な形態をとってもよい。例えば、カードリーダ２０８ｅは、カード２０９によって収容された磁気ストライプで符号化された情報を読み取るための磁気ストライプリーダの形態でもよくそれを含んでもよい。例えば、カードリーダ２０８ｅは、カード２０９によって保持された機械読取り可能な記号で符号化された情報を読み取るための機械読取り可能な記号（例えば、バーコード、マトリクスコード）カードリーダの形態でもよくそれを含んでもよい。例えば、カードリーダ２０８ｅは、カード２０９によって収容された持続性媒体に記録された情報を読み取るためのスマートカードリーダの形態でもよくそれを含んでもよい。そのようなものは、例えば、無線周波数識別（ＲＦＩＤ）トランスポンダ又は電子支払チップ（例えば、電子財布（ｅ−ウォレット）アプリケーションなどによって使用されるような近距離無線通信（ＮＦＣ）チップ）でもよい。したがって、カードリーダ２０８ｅは、様々なカード媒体２０９（例えば、クレジットカード、デビットカード、ギフトカード、プリペイドカード）、並びに運転免許証などの識別媒体から情報を読み取りうる。カードリーダ２０８ｅは、また、携帯型電気エネルギー貯蔵装置１０６によって収容された非一時的媒体において符号化された情報を読み取り可能であり、またＲＦＩＤトランスポンダ、トランシーバ、ＮＦＣチップ、及び／又は完全電気スクータ又はモータバイク１０８の様々な構成要素、携帯型電気エネルギー貯蔵装置１０６の様々な構成要素、完全電気スクータ又はモータバイク１０８の携帯型電気エネルギー貯蔵装置隔室の様々な構成要素に情報（例えば、携帯型電気エネルギー貯蔵装置１０６の現在又は以前の危険状態に関する情報、完全電気スクータ又はモータバイク１０８の携帯型電気エネルギー貯蔵装置隔室に対する収集・充電及び分配装置１０２の認証のための情報、又は収集・充電及び分配装置１０２に対する完全電気スクータ又はモータバイク１０８の認証のための情報）を通信する他の通信装置を含んでもよい。
【００５３】
ユーザインタフェースサブシステム２０８は、現金支払を受け入れ検証する紙幣アクセプタ２０８ｆ及びバリデータ及び／又はコインアクセプタ２０８ｇを含んでもよい。そのようなものは、信用を利用する機会のない人々にサービスを提供する際にとても役立つことがある。紙幣アクセプタ及びバリデータ２０８ｆ並びに／又はコインアクセプタ２０８ｇは、任意の様々な形態、例えば、現在市販されており様々な自動販売機及びキオスクで使用されている形態をとってもよい。
【００５４】
図３Ａは、１つの非限定的な示された実施形態による、図１のスクータ又はモータバイク１０８の携帯型電気エネルギー貯蔵装置用の携帯型電気エネルギー貯蔵装置隔室ロックシステム３００のブロック図である。詳細には、図３Ａは、１つの非限定的な示された実施形態による、ひとつの例では図１の収集・充電及び分配装置１０２、別の例では外部無線装置３３０と無線通信する図１のスクータ又はモータバイク１０８の携帯型電気エネルギー貯蔵装置１０６ｚ用の携帯型電気エネルギー貯蔵装置隔室ロックシステム３００を示す。
【００５５】
通信回路３０８によってロック機構コントローラ３０６に動作可能に結合された携帯型電気エネルギー貯蔵装置隔室ロック機構３２０が示される。ロック機構コントローラ３０６は、また、通信回線３１０を介して１つ以上の携帯型電気エネルギー貯蔵装置安全センサ５２８と、通信回線３１６を介して車両１０８の車両電子制御ユニット３１２とに機能的に結合される。代わりに、幾つかの代替実施形態では、車両電子制御ユニット３１２は、携帯型電気エネルギー貯蔵装置安全センサ５２８に結合されてもよく、かつ／又はロック機構コントローラ３０６が、車両電子制御ユニット３１２の一部であってもよい。幾つかの実施形態では、車両電子制御ユニット３１２は、本明細書に記載されたロック機構コントローラ３０６の機能を実行してもよい。
【００５６】
幾つかの実施形態では、携帯型電気エネルギー貯蔵装置隔室ロック機構３２０とロック機構コントローラ３０６は、スクータ又はモータバイク１０８の携帯型電気エネルギー貯蔵装置隔室の一部である（図５〜図７に示された）。代わりに、携帯型電気エネルギー貯蔵装置安全センサ５２８、ロック機構コントローラ３０６及び携帯型電気エネルギー貯蔵装置隔室ロック機構３２０のうちの１つ以上が、機能的に携帯型電気エネルギー貯蔵装置１０６ｚの内部に配置されてもよく、それに取り付けられてもよい。
【００５７】
図１に示された携帯型電気エネルギー貯蔵装置１０６ｚが、公衆に貸与、賃貸契約、賃貸、又は他の方法で提供されるとき、携帯型電気エネルギー貯蔵装置１０６ｚ用の携帯型電気エネルギー貯蔵装置隔室が利用される方法と環境を制御することが望ましい。例えば、携帯型電気エネルギー貯蔵装置１０６ｚは、車両１０８内で使用又は格納されている間に危険状態に遭遇することがある。したがって、ロック機構コントローラ３０６は、そのような状態が生じるか切迫していると判断されたとき、携帯型電気エネルギー貯蔵装置１０６ｚが現在収容されている隔室をロックさせてもよい。そのような危険な状態は、携帯型電気エネルギー貯蔵装置１０６ｚの短絡、システム誤動作、環境条件又は他の破局的故障によって引き起こされる過熱、溶融又は爆発により生じることがある。そのような状態が起きているときに携帯型電気エネルギー貯蔵装置１０６ｚが現在収容されている隔室のロックは、隔室内の危険状態を阻止するのを支援するか、そのような状態が存在するか切迫しているときに携帯型電気エネルギー貯蔵装置１０６ｚにアクセスしようとするユーザの怪我を防ぐのに役立つことがある安全対策でありうる。
【００５８】
幾つかの実施形態では、通信回線３１０を介して携帯型電気エネルギー貯蔵装置安全センサ５２８からの危険状態に関する情報を受け取ったとき、ロック機構コントローラ３０６は、携帯型電気エネルギー貯蔵装置が隔室をロックさせるのに望ましい状態かどうかを決定する。携帯型電気エネルギー貯蔵装置が隔室をロックするのに望ましい状態であることをロック機構コントローラ３０６が決定した場合は、通信回線３０８を介して携帯型電気エネルギー貯蔵装置隔室ロック機構３２０に信号を送って、携帯型電気エネルギー貯蔵装置隔室ロック機構３２０に、携帯型電気エネルギー貯蔵装置１０６ｚが中に配置された隔室をロックさせ、ユーザが隔室を開けるのを防ぎ、それによりユーザが危険状態になるのを防ぐ。例えば、危険状態は、隔室内の携帯型電気エネルギー貯蔵装置１０６ｚの潜在的又は既存の破局的故障（例えば、溶融、爆発、危険な漏れなど）でありうる。
【００５９】
携帯型電気エネルギー貯蔵装置１０６ｚ及び／又は携帯型電気エネルギー貯蔵装置１０６ｚが接続された回路の温度レベル、電圧レベル及び／又は電流レベルが、特定のそれぞれのしきい値を超えることは、そのような危険状態を示すことでありうる。携帯型電気エネルギー貯蔵装置１０６ｚが中に配置された隔室内又は携帯型電気エネルギー貯蔵装置１０６ｚ自体の内部の温度、汚染物質レベル又は圧力レベルが、特定のそれぞれのしきい値を超えることは、そのような危険状態を示すことでありうる。したがって、隔室をロックするのに望ましい状態は、携帯型電気エネルギー貯蔵装置１０６ｚが接続された回路の温度レベル、電圧レベル及び電流レベルの１つ以上が、特定のそれぞれのしきい値を超える状態であってもよい。また、そのような因子単独又は組み合わせで、隔室をロックする望ましい状態は、携帯型電気エネルギー貯蔵装置１０６ｚが内に配置された隔室内、又は携帯型電気エネルギー貯蔵装置１０６ｚ自体の内側の温度、汚染物質レベル又は圧力レベルのうちの１つ以上が、特定のそれぞれのしきい値を超える状態であってもよい。
【００６０】
幾つかの実施形態では、そのようなしきい値は、携帯型電気エネルギー貯蔵装置１０６ｚのタイプ又は携帯型電気エネルギー貯蔵装置１０６ｚの他の仕様にしたがってもよく、違うふうに依存してもよい。例えば、特定の携帯型電気エネルギー貯蔵装置は、他の携帯型電気エネルギー貯蔵装置より高い温度、電流及び／又は電圧レベルで動作可能である。ロック機構コントローラ３０６は、携帯型電気エネルギー貯蔵装置１０６ｚが中に配置された隔室をロックするべきかどうかを、そのような携帯型電気エネルギー貯蔵装置の仕様に基づいて決定する際に使用するしきい値を選択してもよい。
【００６１】
携帯型電気エネルギー貯蔵装置安全センサ５２８は、通信回線３１０を介してロック機構コントローラ３０６に結合されて、危険状態を示すそのような状態を検出する１つ以上のセンサを含んでもよい。例えば、危険状態を示す状態は、携帯型電気エネルギー貯蔵装置が接続された回路の温度レベル、携帯型電気エネルギー貯蔵装置１０６ｚが接続された回路の電圧レベル、携帯型電気エネルギー貯蔵装置１０６ｚが接続された回路の電流レベル、携帯型電気エネルギー貯蔵装置１０６ｚの温度、携帯型電気エネルギー貯蔵装置１０６ｚが中に配置された隔室内の温度、携帯型電気エネルギー貯蔵装置１０６ｚが中に配置された隔室内部汚染物質レベル、携帯型電気エネルギー貯蔵装置１０６ｚが配置する隔室内部圧力レベル、携帯型電気エネルギー貯蔵装置１０６ｚの内部の汚染物質レベル、携帯型電気エネルギー貯蔵装置１０６ｚ内部の圧力レベル、及び携帯型電気エネルギー貯蔵装置が接続された回路の短絡の１つ以上に関する状態を含んでもよい。したがって、幾つかの実施形態では、携帯型電気エネルギー貯蔵装置安全センサ５２８は、携帯型電気エネルギー貯蔵装置１０６ｚ、又は携帯型電気エネルギー貯蔵装置１０６ｚが接続された回路に動作可能に結合された、ボルトセンサ、電圧計、電流センサ、電流計、ワットセンサ、電力計、電気抵抗センサ、オーム計、ヒューズ、温度センサ、抵抗温度検出器（ＲＴＤ）、サーミスタ、熱電対、ダイオード、サーモスタット、温度計、圧力センサ、空気圧力センサ、汚染物質センサなどのうちの１つ以上を含んでもよい。そのような携帯型電気エネルギー貯蔵装置安全センサ５２８は、機械的、アナログ、デジタル、集積回路センサ、又はこれらの任意の適切な組み合わせでよい。
【００６２】
幾つかの実施形態では、ロック機構コントローラ３０６は、携帯型電気エネルギー貯蔵装置１０６ｚの危険状態に関する情報を受け取ったとき、通信回線３１６を介して車両の電子制御ユニット３１２に信号を送信して、携帯型電気エネルギー貯蔵装置１０６ｚから車両１０８によって引き出されている電力を減少させるか又は除去する。携帯型電気エネルギー貯蔵装置１０６ｚから車両１０８によって引き出されている電力のそのような減少又は除去は、そのような危険状態を解決、減少若しくは延期させ及び／又は悪化を防ぐ。これは、携帯型電気エネルギー貯蔵装置１０６ｚが中に配置された隔室をロックする決定の追加又は代替でもよい。ロック機構コントローラ３０６は、携帯型電気エネルギー貯蔵装置１０６ｚから車両１０８によって引き出されている電力を減少又は除去しかつ／又は携帯型電気エネルギー貯蔵装置１０６ｚが中に配置された隔室をロックする信号を車両の電子制御ユニット３１２に送信すべきかどうかの決定に使用するしきい値を、前述のような携帯型電気エネルギー貯蔵装置の仕様に少なくとも部分的に基づいて選択してもよい。
【００６３】
ロック機構コントローラ３０６と無線通信する収集・充電及び分配装置１０２が示される。例えば、収集・充電及び分配装置１０２の通信サブシステム２０６（図２に示した）は、ロック機構コントローラ３０６を含む収集・充電及び分配装置１０２の外部の様々な他の装置と、短距離（例えば、Ｂｌｕｅｔｏｏｔｈ、近距離無線通信（ＮＦＣ）、無線周波数識別（ＲＦＩＤ）構成要素及びプロトコル）又はより長距離の無線通信（例えば、無線ＬＡＮ、衛星又はセルラーネットワークを介した）を可能にする構成要素を提供してもよい。収集・充電及び分配装置１０２の通信サブシステム２０６は、ロック機構コントローラ３０６に対する無線信号経路を提供する１つ以上のポート、無線受器、無線トランスミッタ又は無線トランシーバを含んでもよい。収集・充電及び分配装置１０２の通信サブシステム２０６は、追加又は代替として、パケット交換型通信プロトコル（ＴＣＰ／ＩＰ）、イーサネット又は他のネットワークプロトコルを含むネットワークトラフィックを処理するのに適した１つ以上のブリッジ又はルータへの接続を含んでもよい。
【００６４】
携帯型電気エネルギー貯蔵装置１０６ｚの携帯型電気エネルギー貯蔵装置隔室に対するアクセスの制御は、そのような危険状態が検出された後で、認証済み情報に基づいて技術者やメーカーなどの許可された人による携帯型電気エネルギー貯蔵装置へのアクセスを可能にするために使用されてもよい。認証済み情報に基づくそのような制御は、また、携帯型電気エネルギー貯蔵装置１０６ｚの盗難及び／又は誤用を防ぐのに役立ち、スクータ又はモータバイク１０８内の新しい携帯型電気エネルギー貯蔵装置１０６ｚを交換又は挿入するとき（携帯型電気エネルギー貯蔵装置１０６ｚを、収集・充電及び分配装置１０２にある新しい携帯型電気エネルギー貯蔵装置１０６ｚと交換するときなど）に、携帯型電気エネルギー貯蔵装置１０６ｚへの便利なアクセスを提供する。
【００６５】
例えば、携帯型電気エネルギー貯蔵装置隔室は、ロック機構コントローラ３０６が、収集・充電及び分配装置１０２に関して前述したような１つ以上の無線通信サブシステムを介して、外部無線装置３３０、又は収集・充電及び分配装置１０２から認証済み情報を含む無線信号１１９を検出するまで、ロックされるか他の方法で固定されてもよい。収集・充電及び分配装置１０２に関して前述したような１つ以上の無線通信サブシステムを含むそのような外部無線装置は、カードキー、アクセスカード、クレジットカード、アクセス制御キー、モバイルコンピューティング装置、携帯電話、携帯情報端末（ＰＤＡ）、スマートフォン、バッテリ充電器、他のアクセス制御装置などが含まれうるが、これらに限定されない。また、携帯型電気エネルギー貯蔵装置１０６ｚの検出された危険状態に関する情報は、そのような外部無線装置３３０に伝達されて、ユーザにそのような状態を通知するか、そのような状態をバックエンドシステム１２０に通信し、その結果、情報が、バックエンドシステム及び／又は収集・充電及び分配装置１０２によって分析され処理されうる。
【００６６】
図３Ｂは、１つの非限定的な示された実施形態による、図１の収集・充電及び分配装置１０２用の携帯型電気エネルギー貯蔵装置隔室ロックシステムのブロック図である。携帯型電気エネルギー貯蔵装置１０６ｚが、充電されているか収集・充電及び分配装置１０２内に格納されている間に危険状態に遭遇することがあるので、そのような状態が生じたときに携帯型電気エネルギー貯蔵装置１０６が現在収容されている隔室をロックし、携帯型電気エネルギー貯蔵装置１０６ｚとの間の電流をカットオフ又は減少させ、他の携帯型電気エネルギー貯蔵装置１０６が収集・充電及び分配装置１０２内に収容されている他の隔室をロックし、危険状態に関する警報を表示又は送信し、かつ／又はユーザが収集・充電及び分配装置１０２内の１つ以上の携帯型電気エネルギー貯蔵装置１０６にアクセスするのを防ぎたいことがある。そのような危険状態は、短絡、システム誤動作、環境条件又は他の破局的故障によって引き起こされる過熱、溶融又は爆発により生じることがある。そのような対策は、隔室又は収集・充電及び分配装置１０２の内部の危険状態を阻止するのに役立つ安全対策でもよく、そのような状態が存在するか切迫しているときに携帯型電気エネルギー貯蔵装置１０６ｚにアクセスしようとするユーザの怪我を防いでもよい。
【００６７】
通信回路３０８を介してロック機構コントローラ３０６に機能的に結合された携帯型電気エネルギー貯蔵装置隔室ロック機構３２０が示される。ロック機構コントローラ３０６は、また、通信回線３１０を介して１つ以上の携帯型電気エネルギー貯蔵装置安全センサ５２８と、通信回線３２８を介して充電及び分散装置制御サブシステム２０２とに機能的に結合される。幾つかの代替実施形態では、追加又は代替として、充電及び分配装置制御サブシステム２０２は、携帯型電気エネルギー貯蔵装置安全センサ５２８に結合されてもよく、及び／又はロック機構コントローラ３０６が、充電及び分配装置制御サブシステム２０２の一部分でもよく、充電及び分配装置制御サブシステム２０２が、本明細書に記載されたロック機構コントローラ３０６の機能を実行してもよい。幾つかの実施形態では、携帯型電気エネルギー貯蔵装置隔室ロック機構３２０とロック機構コントローラ３０６は、携帯型電気エネルギー貯蔵装置１０６ｚの一部分、収集・充電及び分配装置１０２のそれぞれの受器、隔室又はレセプタクル１０４ａ、１０４ｂ〜１０４ｎである。代わりに、携帯型電気エネルギー貯蔵装置安全センサ５２８、ロック機構コントローラ３０６及び携帯型電気エネルギー貯蔵装置隔室ロック機構３２０のうちの１つ以上が、機能的に携帯型電気エネルギー貯蔵装置１０６ｚの内部に配置されてもよくそれに取り付けられてもよい。他のセンサの中でも特に、携帯型電気エネルギー貯蔵装置安全センサ５２８は、収集・充電及び分配装置１０２のそれぞれの受器、隔室又はレセプタクル１０４ａ、１０４ｂ〜１０４ｎにおける携帯型電気エネルギー貯蔵装置１０６の充電を検出する１つ以上の充電センサＳC1〜ＳCNを含むことがある。
【００６８】
幾つかの実施形態では、通信回線３１０を介して携帯型電気エネルギー貯蔵装置安全センサ５２８からの危険状態に関する情報を受信したとき、ロック機構コントローラ３０６は、収集・充電及び分配装置１０２における隔室（例えば、隔室１０４ｎ）が、隔室をロックさせるのに望ましい状態にあるかどうかを決定する。ロック機構コントローラ３０６は、追加又は代替として、携帯型電気エネルギー貯蔵装置１０６ｎ（例えば、図１に示した）との間の電流をカットオフ又は減少させ、他の携帯型電気エネルギー貯蔵装置１０６が収集・充電及び分配装置１０２内に収容されている他の隔室をロックし、危険状態に関する警報を表示又は送信し、及び／又は収集・充電及び分配装置１０２内の１つ以上の携帯型電気エネルギー貯蔵装置１０６にユーザがアクセスするのを他の方法で防ぐかどうかを決定してもよい。携帯型電気エネルギー貯蔵装置が、隔室をロックし、携帯型電気エネルギー貯蔵装置１０６ｎとの間の電流をカットオフ又は減少させ、他の携帯型電気エネルギー貯蔵装置１０６が、収集・充電及び分配装置１０２内に収容されている他の隔室をロックし、かつ／又は危険状態に関する警報を表示又は送信するのに望ましい状態であることをロック機構コントローラ３０６が判定した場合、ロック機構コントローラ３０６は、それを行うのに適した信号を通信回線３０８を介して携帯型電気エネルギー貯蔵装置隔室ロック機構３２０に送信して、携帯型電気エネルギー貯蔵装置隔室ロック機構３２０に、携帯型電気エネルギー貯蔵装置１０６ｎが中に配置された隔室１０４ｎをロックさせ、かつ／又は充電及び分配装置制御サブシステム２０２に他の適切な動作を行なわせるのに適した信号を通信回線３２８を介して充電及び分配装置制御サブシステム２０２に送信する。
【００６９】
携帯型電気エネルギー貯蔵装置１０６ｚの携帯型電気エネルギー貯蔵装置隔室に対するアクセスの制御は、そのような危険状態が検出された後で、認証情報に基づいて技術者やメーカーなどの許可された人による携帯型電気エネルギー貯蔵装置１０６ｎへのアクセスを可能にするために使用されてもよい。例えば、携帯型電気エネルギー貯蔵装置隔室１０４ｎは、ロック機構コントローラ３０６が、外部無線装置３３０から認証情報を含む無線信号１１９を検出するまで、ロックされるか他の方法で固定されてもよい。収集・充電及び分配装置１０２に関して前述したような１つ以上の無線通信サブシステムを含むそのような外部無線装置は、カードキー、アクセスカード、クレジットカード、アクセス制御キー、モバイルコンピューティング装置、携帯電話、携帯情報端末（ＰＤＡ）、スマートフォン、バッテリ充電器、他のアクセス制御装置などが含まれうるが、これらに限定されない。また、携帯型電気エネルギー貯蔵装置１０６ｎの検出された危険状態に関する情報は、そのような外部無線装置３３０又はバックエンドシステム１２０（図１に示した）に直接伝達されて、ユーザにそのような状態を通知するか、そのような状態をバックエンドシステム１２０に通信してもよく、その結果、情報が、バックエンドシステム及び／又は収集・充電及び分配装置１０２によって分析され処理されうる。
【００７０】
図４は、１つの非限定的な示された実施形態による車両電子制御ユニット３１２に接続された図３Ａのロック機構コントローラ３０６の概略図である。しかしながら、図３Ａのロック機構コントローラ３０６の概略図が、図３Ｂの充電及び分配装置制御サブシステム２０２に接続された図３Ｂのロック機構コントローラ３０６の概略図にも適用可能である。
【００７１】
幾つかの実施形態では、ロック機構コントローラ３０６は、コントローラ４１０、通信サブシステム４０６及び電力インタフェース４２０を含む。
【００７２】
例えば、コントローラ４１０は、マイクロプロセッサ、マイクロコントローラ、プログラマブルロジックコントローラ（ＰＬＣ）、プログラマブルゲートアレイ（ＰＧＡ）、特定用途向け集積回路（ＡＳＩＣ）、又は様々なセンサから信号を受信し、論理演算を実行し、信号を様々な構成要素に送信可能な別のコントローラを含む。典型的には、コントローラ４１０は、マイクロプロセッサ（例えば、ＩＮＴＥＬ、ＡＭＤ、ＡＴＯＭ）の形態をとってもよい。コントローラ４１０は、制御線３０８によって携帯型電気エネルギー貯蔵装置隔室ロック機構３２０に結合され、制御線３１６によって車両電子制御ユニット３１２に結合され、制御線３１０によって携帯型電気エネルギー貯蔵装置安全センサ５２８に結合される。しかしながら、ロック機構コントローラ３０６が、図３Ｂに示したものように、収集・充電及び分配装置１０２の一部分である実施形態では、コントローラ４１０は、充電及び分配装置制御サブシステム２０２の一部分であり、あるいは車両電子制御ユニット３１２の代わりに、図３Ｂに示されたように通信回線３２８によって充電及び分配装置制御サブシステム２０２に他の方法で結合される。
【００７３】
ロック機構コントローラ３０６は、１つ以上の非一時的プロセッサ又はコンピュータ可読記憶媒体、例えば、読み出し専用メモリ（ＲＯＭ）４１２、ランダムアクセスメモリ（ＲＡＭ）４１４、他のストレージ４１６（例えば、フラッシュメモリやＥＥＰＲＯＭなどのソリッドステート記憶媒体又はハードディスクなどの回転記憶媒体）を含んでもよい。非一時的プロセッサ又はコンピュータ可読記憶媒体４１２、４１４、４１６は、コントローラ４１０の一部である任意の非一時的記憶媒体（例えば、レジスタ）に追加されてもよい。例えば、ロック機構コントローラ３０６は、様々な構成要素を結合する１つ以上のバス４１８（１つだけ示した）、例えば、１つ以上の電力バス、命令バス、データバスなどを含んでもよい。
【００７４】
図示されたように、ＲＯＭ４１２、又は非一時的プロセッサ若しくはコンピュータ可読記憶媒体４１２、４１４、４１６の幾つかの他のものは、命令及び／あるいは変数又はパラメータのデータ又は値を記憶する。データセットは、様々な形態（例えば、ルックアップ表、データベース内の１組のレコードなど）を取ってもよい。命令とデータ又は値のセットは、コントローラ４１０によって実行可能である。命令及びデータ又は値のセットを実行することによって、コントローラ４１０は、特定の動作を行なって、外部装置との間で情報を送受し、そのような情報に基づいて、ロック機構コントローラ３０６に、携帯型電気エネルギー貯蔵装置隔室ロック機構３２０をロック又はロック解除する制御信号を生成させ、携帯型電気エネルギー貯蔵装置１０６ｚとの間の電流をカットオフするか減少させるかを決定し、他の携帯型電気エネルギー貯蔵装置が中に配置されることがある他の隔室をロックし、危険状態に関する警報を表示又は送信し、かつ／又は１つ以上の携帯型電気エネルギー貯蔵装置にユーザがアクセスするのを他の方法で防ぐ。ロック機構コントローラ３０６の特定の動作は、本明細書に、様々な流れ図（図８〜図１０）を含む図１〜図１０に関して後で述べられる。
【００７５】
コントローラ４１０は、命令やデータなどの非持久記憶のためにＲＡＭ４１４を従来の方法で使用してもよい。例えば、コントローラ４１０は、データストア４１６を使用して、例えば、センサ５２８からの情報、携帯型電気エネルギー貯蔵装置タイプ及び／又は仕様、電流、電圧、温度、汚染物質レベル及び／又は圧力情報、電流、電圧、温度、汚染物質レベル及び／又は圧力しきい値、ユーザプロファイル情報、車両プロファイル情報、暗証番号、信用証明書、セキュリティ証明書、パスワード、車両情報、車両使用履歴及び／又は使用量、パターン、車両診断データなどのうちの１つ以上を含むがこれらに限定されない情報をログ記録又は収容してもよい。
【００７６】
命令は、携帯型電気エネルギー貯蔵装置１０６ｚ又は携帯型電気エネルギー貯蔵装置１０６ｚが接続された回路、充電装置、車両、キーフォブ、ユーザ識別装置（カード、電子キーなど）、車両、収集・充電及び分配装置、収集・充電及び分配装置システム、サービスセンタ、ユーザモバイル装置、ユーザ車両及びエンドユーザ又はオペレータ入力、又はこれらの任意の適切な組み合わせに機能的に結合された、ボルトセンサ、電圧計、電流センサ、電流計、ワットセンサ、電力計、電気抵抗センサ、オーム計、ヒューズ、温度センサ、抵抗温度検出器（ＲＴＤ）、サーミスタ、熱電対、ダイオード、サーモスタット、温度計、圧力センサ、空気圧力センサ、汚染物質センサなどを含むがこれらに限定されない外部装置のものなどのリモートシステムからの入力に応じて、ロック機構コントローラ３０６の動作を制御するためにコントローラ４１０によって実行可能である。コントローラ４１０は、また、ロック機構コントローラ３０６の通信サブシステム４０６を介して外部装置の様々なセンサ及び／又は構成要素から信号を受け取ってもよい。この情報は、そのような構成要素及び／又は外部装置の信頼性、許可レベル、動作、状況又は状態を特徴付けるか又は示す情報を含むことがある。
【００７７】
通信サブシステム４０６は、センサ５２８及び／又は無線装置３３０、図１の収集・充電及び分配装置１０２（例えば、セキュリティコードを受け取るため）及び／又は他の外部装置の様々な構成要素との通信を容易にする１つ以上の通信モジュール又は構成要素を含むことがあり、その結果、ロック機構コントローラ３０６と認証用の外部装置との間でデータを交換できる。通信サブシステム４０６は、有線及び／又は無線通信を提供してもよい。通信サブシステム４０６は、様々なリモート構成要素又はシステムへの無線信号経路を提供するために１つ以上のポート、無線受信器、無線トランスミッタ又は無線トランシーバを含んでもよい。通信サブシステム４０６は、例えば、短距離（例えば、Ｂｌｕｅｔｏｏｔｈ、近距離無線通信（ＮＦＣ）、無線周波数識別（ＲＦＩＤ）構成要素及びプロトコル）又はより長距離の無線通信（例えば、無線ＬＡＮ、衛星、又はセルラーネットワークを介した）を可能にする構成要素を含んでもよく、また１つ以上のモデム又は１つ以上のイーサネット又は、通信を行うための他のタイプの通信カード又は構成要素を含んでもよい。リモートサブシステム４０６は、パケット交換通信プロトコル（ＴＣＰ／ＩＰ）、イーサネット又は他のネットワークプロトコルを含むネットワークトラフィックを処理するのに適した１つ以上のブリッジ又はルータに対する接続を含んでもよい。
【００７８】
幾つかの実施形態では、ロック機構コントローラ３０６の構成要素の幾つか又は全ては、通信サブシステム４０６を介して送られた（例えば、無線制御信号によって）携帯型電気エネルギー貯蔵装置隔室ロック機構３２０の１つ以上のアクチュエータ５０２（図５〜図７に示された）を作動させる。
【００７９】
電力インタフェース４２０は、電源接続３１４を介して電源５１６（図５〜図７に示された）から電力を受け取ってロック機構コントローラ３０６に電力を提供するように構成される。電力インタフェース４２０は、電気変圧器、コンバータ、整流器などの前述の機能を実行する働きをする様々な構成要素を含む。電源５１６は、携帯型電気エネルギー貯蔵装置１０６ｚと違って別個の電源でよい。
【００８０】
図５は、１つの非限定的な示された実施形態による、図３Ａの携帯型のロック機構コントローラ３０６に結合された図１の携帯型電気エネルギー貯蔵装置１０６ｚを収容するように構成された、ロックされた空の携帯型電気エネルギー貯蔵装置隔室５００の断面正面図である。
【００８１】
携帯型電気エネルギー貯蔵装置隔室ハウジング５１２、車両５０８の一部分、携帯型電気エネルギー貯蔵装置隔室ロック機構３２０、ロック機構コントローラ３０６及び電源５１６が示される。一実施形態では、携帯型電気エネルギー貯蔵装置隔室ロック機構３２０は、携帯型電気エネルギー貯蔵装置隔室ハウジング５１２の外部に配置され、車両５０８の一部分に固定される（図５の例に示されたように）。他の実施形態では、携帯型電気エネルギー貯蔵装置隔室ロック機構３２０は、携帯型電気エネルギー貯蔵装置隔室ハウジング５１２及び／又は車両の内側に配置されるか、ハウジング５１２に他の方法で固定される。しかしながら、各実施形態では、携帯型電気エネルギー貯蔵装置隔室ロック機構３２０は、携帯型電気エネルギー貯蔵装置隔室５００をロック、ラッチ、ロック解除及び／又はラッチ解除するか、隔室５００を他の方法で固定又は利用するように構成される。
【００８２】
例えば、携帯型電気エネルギー貯蔵装置隔室５００は、携帯型電気エネルギー貯蔵装置１０６ｚを携帯型電気エネルギー貯蔵装置隔室５００に入れ携帯型電気エネルギー貯蔵装置隔室５００から取り出す上開口部を有する。携帯型電気エネルギー貯蔵装置１０６ｚが、携帯型電気エネルギー貯蔵装置隔室５００に入れられた後で、携帯型電気エネルギー貯蔵装置隔室ハウジング５１２は、上開口以外で携帯型電気エネルギー貯蔵装置１０６ｚを取り囲む。図５に示されたように、携帯型電気エネルギー貯蔵装置隔室５００は、携帯型電気エネルギー貯蔵装置隔室５００の上開口を覆う蓋５２０を有する。蓋４２０は、ヒンジ５２４で携帯型電気エネルギー貯蔵装置隔室５００の側壁５２２の上部にヒンジ式に取り付けられ、その結果、蓋５２０が開かれたとき、携帯型電気エネルギー貯蔵装置１０６ｚを携帯型電気エネルギー貯蔵装置隔室５００内に入れ、携帯型電気エネルギー貯蔵装置隔室５００から取り出しうる。
【００８３】
携帯型電気エネルギー貯蔵装置隔室ロック機構３２０は、図５に示されたような蓋５２０が閉位置にあるときにヒンジ５２４の反対側の蓋５２０の端部を部分的に覆うスライドボルト５０６を有する。これにより、携帯型電気エネルギー貯蔵装置隔室５００は、蓋５２０がヒンジ５２４上で上方に開位置に動かないようにすることによって、ロック状態又はラッチ状態になる。スライドボルト５０６は、車両部分５０８に固定されたボルトトラック上又はボルトハウジング５０４内で摺動可能である。しかしながら、他の実施形態では、ボルトハウジング５０４は、隔室ハウジング５１２に固定されてもよい。携帯型電気エネルギー貯蔵装置隔室ロック機構３２０がロック解除状態にあるとき、スライドボルト５０６は、蓋５２０のどの部分も覆わないようにボルトハウジング５０４内に後退され、したがって蓋５２０を開くことができる（図６に示されたように）。
【００８４】
携帯型電気エネルギー貯蔵装置隔室ロック機構３２０は、制御線３０８によってロック機構コントローラ３０６に結合され、電力線５２６によって電源に結合される。例えば、制御線３０８を介してロック機構コントローラ３０６から受け取った１つ以上の制御信号は、１つ以上のアクチュエータ５０２（１つだけ示された）の動作に作用してスライドボルト５０６を移動させる。例えば、制御信号は、アクチュエータ５０２を第１と第２の位置の間で移動させるか、アクチュエータ５０２によって生成される磁界を変化させることがある。アクチュエータ５０２は、ソレノイド、ステッピングモータなどの電動機又は電磁石を含むがこれらに限定されない様々な任意の形態をとってもよい。あるいは、アクチュエータ５０２は、携帯型電気エネルギー貯蔵装置隔室蓋５２０を可逆的にロックするための様々なラッチ、ロック又は他のタイプの収容機構を動作させるように結合されてもよい。
【００８５】
アクチュエータ５０２は、ボルト５０６の追加又は代替として、ラッチ、ロック又は他の保持機構（図示せず）を動作させるように結合されてもよい。ラッチ、ロック又は他の保持機構は、携帯型電気エネルギー貯蔵装置隔室５００へのアクセスを防ぐために蓋５２０を選択的に固定又は収容してもよい。例えば、ラッチ、ロック又は他の保持機構は、携帯型電気エネルギー貯蔵装置隔室５００のハウジング５１２又は蓋５２０の一部である相補的構造に物理的に結合してもよい。また例えば、アクチュエータ５０２は、異なるラッチ又はロックを開閉してもよく、エンドユーザが蓋５２０を開けることを可能にするか、蓋５２０がばね又は他の装置によって自動的に開くことを可能にする。
【００８６】
隔室ハウジング５１２は、電気エネルギー貯蔵装置の改変を防止又は阻止するための保護を提供し、適切な強さで弾性の材料（例えば、ＡＢＳプラスチック）から形成されてもよい。そのような隔室ハウジング５１２は、改変を防止又は阻止するだけでなく、改変の試みの視覚的指示を残してもよい。例えば、ハウジング５１２は、第１色（例えば、黒）の強靱な外側層と、その下の第２色（例えば、蛍光オレンジ）の層とを含んでもよい。そのような層は、ハウジング５１２を切削する試みを視覚的に明らかにする。幾つかの実施形態では、隔室５００は、携帯型電気エネルギー貯蔵装置１０６ｚからの流体の漏れを防ぐためかつ／又は隔室５００内の圧力の急激な変化に耐えるために閉じられた後で密閉されてもよく、圧力解放弁（図示せず）、通気孔（図示せず）、センサ５２８（例えば、温度計又は温度センサ３１６、圧力センサ（図示せず）など）などの内蔵センサ、及び／又は隔室又は携帯型電気エネルギー貯蔵装置１０６ｚの様々なセンサ又はメータを読み取るための窓（図示せず）を有してもよい。そのような特徴の１つ以上は、センサ５２８からの情報及び／又は隔室５００内に配置された携帯型電気エネルギー貯蔵装置１０６ｚの危険状態に関する他の情報に基づいて、ロック機構コントローラ３０６によって活動化、作動及び／又は使用されてもよい。
【００８７】
図６は、１つの非限定的な図示された代替実施形態による、ロック解除された開状態の図５の空の携帯型電気エネルギー貯蔵装置隔室５００の断面正面図を示す。
【００８８】
幾つかの実施形態では、携帯型電気エネルギー貯蔵装置１０６ｚが携帯型電気エネルギー貯蔵装置隔室５００内にあるかどうかの指示を制御線３０８を介してロック機構コントローラ３０６に提供する機械、電気及び／又は電子機構が使用されてもよい。例えば、携帯型電気エネルギー貯蔵装置隔室５００が、図５に示された状態（即ち、携帯型電気エネルギー貯蔵装置が検出機構５２８によって携帯型電気エネルギー貯蔵装置隔室５００内にあるように検出されないロック状態）の場合、ロック機構コントローラ３０６が、無線外部装置（例えば、ドライバのキーフォブ又は他の無線装置）の認証に関する情報を受け取った後で、ロック機構コントローラ３０６は、携帯型電気エネルギー貯蔵装置隔室ロック機構３２０に、蓋５２０を自動的にロック解除又はラッチ解除させて、蓋５２０を図６に示されたように開き、携帯型電気エネルギー貯蔵装置１０６ｚを中に入れることを可能にする。
【００８９】
図７は、１つの非限定的な図示する代替実施形態により、図１の携帯型電気エネルギー貯蔵装置を収容し、携帯型電気エネルギー貯蔵装置隔室ロックシステムの携帯型電気エネルギー貯蔵装置安全センサ５２８に結合された、ロック状態の図５の携帯型電気エネルギー貯蔵装置隔室５００の断面正面図である。
【００９０】
ロック機構コントローラ３０６は、携帯型電気エネルギー貯蔵装置安全センサ５２８に接続された通信回線３１０を介して携帯型電気エネルギー貯蔵装置安全センサ５２８から１つ以上の危険状態に関する情報を受信する。通信回線３１０を介して携帯型電気エネルギー貯蔵装置安全センサ５２８からの危険状態に関する情報を受け取ったとき、ロック機構コントローラ３０６は、携帯型電気エネルギー貯蔵装置１０６ｚを収容するように構成された隔室５００が、隔室５００をロックさせるのに望ましい状態かどうかを決定する。携帯型電気エネルギー貯蔵装置が隔室５００をロックするのに望ましい状態であることをロック機構コントローラ３０６が決定した場合は、通信回線３０８を介して携帯型電気エネルギー貯蔵装置隔室ロック機構３２０に信号を送って、携帯型電気エネルギー貯蔵装置隔室ロック機構３２０に、携帯型電気エネルギー貯蔵装置１０６ｚが中に配置された隔室５００をロックさせ、ユーザが隔室５００を開けるのを防ぎ、それによりユーザが危険状態になるのを防ぐ。隔室５００は、図７でそのようなロック位置で示されている。
【００９１】
例えば、危険状態は、隔室内の携帯型電気エネルギー貯蔵装置１０６ｚの潜在的又は既存の破局的故障（例えば、溶融、爆発、危険な漏れなど）であってよい。したがって、携帯型電気エネルギー貯蔵装置１０６ｚ及び／又は携帯型電気エネルギー貯蔵装置１０６ｚが接続された回路の温度レベル、電圧レベル及び／又は電流レベルが、特定のそれぞれのしきい値を超えることは、そのような危険状態を示すことがあってもよい。携帯型電気エネルギー貯蔵装置１０６ｚが中に配置された隔室５００内又は携帯型電気エネルギー貯蔵装置１０６ｚ自体の内側の温度、汚染レベル又は圧力レベルが、特定のそれぞれのしきい値を超えることは、そのような危険状態を示すことがあってもよい。したがって、隔室をロックするのに望ましい状態は、携帯型電気エネルギー貯蔵装置１０６ｚが接続された回路の温度レベル、電圧レベル及び電流レベルの１つ以上が、特定のそれぞれのしきい値を超える状態であってよい。また、そのような因子の単独又は組み合わせで、隔室をロックする望ましい状態は、携帯型電気エネルギー貯蔵装置１０６ｚが内に配置された隔室５００内、又は携帯型電気エネルギー貯蔵装置１０６ｚ自体の内側の温度、汚染レベル又は圧力レベルのうちの１つ以上が、特定のそれぞれのしきい値を超える状態でよい。前述のように、そのようなしきい値は、例えば、携帯型電気エネルギー貯蔵装置１０６ｚが故障前に維持できる最大電流レベル、温度又は電圧レベルを含む、携帯型電気エネルギー貯蔵装置１０６ｚの仕様に基づいてもよい。
【００９２】
幾つかの実施形態では、ロック機構コントローラ３０６は、携帯型電気エネルギー貯蔵装置安全センサ５２８から携帯型電気エネルギー貯蔵装置１０６ｚの危険状態に関する情報を受け取ったとき、通信回線３１６を介して車両の電子制御ユニット３１２に信号を送信して、携帯型電気エネルギー貯蔵装置１０６ｚから車両１０８によって引き出される現行電力を減少させるか又は除去する。携帯型電気エネルギー貯蔵装置１０６ｚから車両１０８によって引き出されている電力のそのような減少又は除去は、そのような危険状態を解決、減少又は延期させ及び／又は悪化を防ぐ。これは、携帯型電気エネルギー貯蔵装置１０６ｚが中に配置された隔室をロックする決定の追加又は代替でもよい。ロック機構コントローラ３０６は、携帯型電気エネルギー貯蔵装置１０６ｚから車両１０８によって引き出されている電力を減少又は除去しかつ／又は携帯型電気エネルギー貯蔵装置１０６ｚが中に配置された隔室をロックする信号を車両の電子制御ユニット３１２に送信すべきかどうかの決定に使用するしきい値を、前述のようなそのような携帯型電気エネルギー貯蔵装置の仕様に基づいて、選択してもよい。
【００９３】
したがって、携帯型電気エネルギー貯蔵装置安全センサ５２８は、通信回線３１０を介してロック機構コントローラ３０６に結合されて、危険状態を示すそのような状態を検出する１つ以上のセンサを含んでもよい。例えば、図７に示されたように、そのようなセンサには、携帯型電気エネルギー貯蔵装置１０６ｚの危険状態を検出するために、図７に示されたような携帯型電気エネルギー貯蔵装置１０６ｚと車両電子制御ユニット３１２を含む回路にそれぞれ機能的に結合された、電流センサ又は電流計７０２、ワットセンサ又は電力計７０４及び／又は電圧センサ又は電圧計７０６が挙げられるが、これらに限定されない。また、温度センサ７０８は、携帯型電気エネルギー貯蔵装置安全センサ５２８の一部分でもよい。追加又は代替として、隔室５００内に配置された温度計３１６は、ハウジング５１２の側壁を通る通信回線３２６によって動作可能に接続されたように示された携帯型電気エネルギー貯蔵装置安全センサ５２８の一部分でもよい。携帯型電気エネルギー貯蔵装置安全センサ５２８は、図７に示されたものと異なる追加のセンサ、少数のセンサ又は異なる組み合わせを含んでもよい。総じて、様々な適切な実施形態では、携帯型電気エネルギー貯蔵装置安全センサ５２８は、携帯型電気エネルギー貯蔵装置１０６ｚ、又は携帯型電気エネルギー貯蔵装置１０６ｚが接続された回路に動作可能に結合された、ボルトセンサ、電圧計、電流センサ、電流計、ワットセンサ、電力計、電気抵抗センサ、オーム計、ヒューズ、温度センサ、抵抗温度検出器（ＲＴＤ）、サーミスタ、熱電対、ダイオード、サーモスタット、温度計、圧力センサ、空気圧力センサ、汚染物質センサなどのうちの１つ以上を含んでもよい。そのような携帯型電気エネルギー貯蔵装置安全センサ５２８は、機械的、アナログ、デジタル、集積回路センサ、又はこれらの任意の適切な組み合わせでよい。
【００９４】
図７に示されたように、蓋５２０は、蓋５２０を閉じた状態で携帯型電気エネルギー貯蔵装置１０６ｚが携帯型電気エネルギー貯蔵装置隔室５００内にあるときに携帯型電気エネルギー貯蔵装置１０６ｚの端子１１０ａ及び１１０ｂにアクセスできるようにする開口又は穴を有してもよく、その結果、端子１１０ａと１１０ｂをスクータやバイク１０８などの車両に機能的に接続して車両に電力供給できる。しかしながら、様々な他の実施形態では、携帯型電気エネルギー貯蔵装置１０６ｚの端子１１０ａ及び１１０ｂへのそのようなアクセスは、蓋５２０を通してではなく、代わりに隔室５００のハウジング５１２内の他の穴又はアクセス通路（図示せず）を通して行われる。更に他の実施形態では、隔室５００は、また、車両電子制御ユニット３１２、モータ（図示せず）、及び／又は携帯型電気エネルギー貯蔵装置隔室ロックシステム３００の１つ以上の構成要素を含む、携帯型電気エネルギー貯蔵装置１０６ｚによって電力供給される車両１０８の１つ以上の構成要素を含んでもよい。この実施形態では、隔室５００内に配置されたそのような構成要素に端子１１０ａ及び１１０ｂを接続するために隔室５００からの蓋５２０のアクセスホール又は開口は不要である。
【００９５】
図８は、１つの非限定的な示された実施形態による、図３〜図７のロック機構コントローラ３０６を操作する方法８００を示す。
【００９６】
８０２で、携帯型電気エネルギー貯蔵装置隔室ロックシステムは、少なくとも１つの通信モジュールを介して、携帯型電気エネルギー貯蔵装置を収容するように構成された隔室内の携帯型電気エネルギー貯蔵装置の危険状態に関する情報を受信する。
【００９７】
８０４で、携帯型電気エネルギー貯蔵装置隔室ロックシステムは、危険状態に関する情報の受信に応じて、携帯型電気エネルギー貯蔵装置が隔室をロックするのに望ましい状態かどうかを判定する。
【００９８】
８０６で、携帯型電気エネルギー貯蔵装置が、隔室をロックするのに望ましい状態であると判定された場合は、携帯型電気エネルギー貯蔵装置隔室ロックシステムは、ユーザを危険状態から守るために隔室の携帯型電気エネルギー貯蔵装置隔室ロック機構をロックする。
【００９９】
図９は、１つの非限定的な示された実施形態による、携帯型電気エネルギー貯蔵装置隔室ロック機構のロックに関する決定を行う図３〜図７のロック機構コントローラの方法９００を示す。
【０１００】
９０２で、携帯型電気エネルギー貯蔵装置隔室ロックシステムは、携帯型電気エネルギー貯蔵装置を収容するように構成された隔室内の携帯型電気エネルギー貯蔵装置の危険状態に関する情報を受け取る。
【０１０１】
９０４で、携帯型電気エネルギー貯蔵装置隔室ロックシステムは、隔室内の携帯型電気エネルギー貯蔵装置の危険状態に関する情報に基づいて、携帯型電気エネルギー貯蔵装置隔室ロック機構のロックに関する決定を行う。
【０１０２】
図１０は、１つの非限定的な示された実施形態による、携帯型電気エネルギー貯蔵装置から引き出されている電力を減少させるか除去するために車両の電子制御ユニットに信号を送る、図３〜図７のロック機構コントローラの高度な方法１０００を示す。
【０１０３】
１００２で、携帯型電気エネルギー貯蔵装置隔室ロックシステムは、少なくとも１つの通信モジュールを介して、隔室内の携帯型電気エネルギー貯蔵装置の危険状態に関する情報を受信する。
【０１０４】
１００４で、危険状態に関する情報の受信に応じて、携帯型電気エネルギー貯蔵装置隔室ロックシステムは、電子制御ユニットに信号を送って、隔室内の携帯型電気エネルギー貯蔵装置から引き出されている電力を減少又は除去する。
【０１０５】
本明細書で述べた様々な方法は、追加の行為を含んでもよく、何らかの行為を省略してもよく、かつ／又は行為を様々な流れ図に示した順序と異なる順序で実行してもよい。
【０１０６】
以上の詳細な説明は、ブロック図、概略図及び例を使用して装置及び／又は方法の様々な実施形態を示す。そのようなブロック図、概略図及び例が、１つ以上の機能及び／又は操作を含む限り、本明細書の教示を鑑みて、そのようなブロック図、フローチャート又は例に含まれる各機能及び／又は操作が、広範囲のハードウェア、ソフトウェア、ファームウェア又はこれらの実質的に任意の組み合わせによって、個々にかつ／又は集合的に実施されうることを当業者は理解されよう。一実施形態では、この内容は、１つ以上のマイクロコントローラによって実現されてもよい。しかしながら、本明細書の開示の教示を鑑みて、当業者は、本明細書に開示された実施形態は、全体的又は部分的に、１つ以上のコンピュータによって実行される１つ以上のコンピュータプログラムとして（例えば、１つ以上のコンピュータシステム上で動作する１つ以上のプログラムとして）、１つ以上のコントローラ（例えば、マイクロコントローラ）によって実行される１つ以上のプログラムとして、１つ以上のプロセッサ（例えば、マイクロプロセッサ）によって実行される１つ以上のプログラムとして、ファームウェアとして、又はこれらの実質的に任意の組み合わせとして、標準集積回路（例えば、特定用途向け集積回路又はＡＳＩＣ）で等価に実施されうること、また、ソフトウェア及び／又はファームウェアのための回路の設計及び／又はコードの記述が、この開示の教示を考慮する当業者の能力の範囲内にあることを理解するであろう。
【０１０７】
ロジックが、ソフトウェアとして実現されメモリに記憶されるとき、ロジック又は情報は、任意のプロセッサ関連システム又は方法によってあるいはそれらのシステム又は方法と関連して使用される任意の適切な非一時的コンピュータ可読媒体上に記憶されうる。この開示の分脈では、メモリとは、コンピュータ及び／又はプロセッサプログラムを非一時的に収容又は記憶する電子、磁気、光学又は他の物理装置若しくは手段である非一時的コンピュータ又はプロセッサ可読記憶媒体である。ロジック及び／又は情報は、命令実行システム、機器又は装置から命令をフェッチし、ロジック及び／又は情報と関連付けられた命令を実行できるコンピュータシステム、プロセッサ内蔵システム又は他のシステムなどの命令実行システム、機器又は装置によって使用されるかそれらと接続する任意のコンピュータ可読媒体に実装されてもよい。
【０１０８】
この明細書の分脈では、「コンピュータ可読媒体」は、命令実行システム、機器及び／又は装置によって使用されるかそれらと接続する、ロジック及び／又は情報と関連付けられたプログラムを記憶できる任意の物理要素でよい。コンピュータ可読媒体は、例えば、電子、磁気、光学、電磁気、赤外線又は半導体システム、機器又は装置でよいが、これらに限定されない。コンピュータ可読媒体のより特定の例（非網羅的リスト）には、携帯型コンピュータディスケット（磁気、コンパクトフラッシュカード、セキュアデジタルなど）、ランダムアクセスメモリ（ＲＡＭ）、読み出し専用メモリ（ＲＯＭ）、消去可能プログラム可能な読取り専用メモリ（ＥＰＲＯＭ、ＥＥＰＲＯＭ又はフラッシュメモリ）、携帯型コンパクトディスク読取り専用メモリ（ＣＤＲＯＭ）、及びデジタルテープがある。
【０１０９】
前述の様々な実施形態を組み合わせて、更に他の実施形態を提供できる。本明細書の特定の教示及び定義と矛盾しない限り、以下に列挙するがそれらに限定されない、本明細書で参照されかつ／又はアプリケーションデータシートに列挙された全ての米国特許、米国特許出願公開、米国特許出願、外国特許、外国特許出願及び非特許公開、「APPARATUS, METHOD AND ARTICLE FOR COLLECTION, CHARGING AND DISTRIBUTING POWER STORAGE DEVICES, SUCH AS BATTERIES」と題し２０１１年７月２６日に出願された米国仮特許出願番号６１／５１１，９００号（代理人整理番号１７０１７８．４０１Ｐ１），［APPARATUS, METHOD AND ARTICLE FOR REDISTRIBUTING POWER STORAGE DEVICES, SUCH AS BATTERIES, BETWEEN COLLECTION, CHARGING AND DISTRIBUTION MACHINES」と題し２０１１年９月１４日に出願された米国仮特許出願番号６１／５３４，７５３号（代理人整理番号１７０１７８．４０２Ｐ１）、「APPARATUS, METHOD AND ARTICLE FOR AUTHENTICATION, SECURITY AND CONTROL OF POWER STORAGE DEVICES, SUCH AS BATTERIES」と題し２０１１年９月１４日に出願された米国仮特許出願番号６１／５３４，７６１号（代理人整理番号１７０１７８．４０３Ｐ１），「APPARATUS, METHOD AND ARTICLE FOR AUTHENTICATION, SECURITY AND CONTROL OF POWER STORAGE DEVICES, SUCH AS BATTERIES, BASED ON USER PROFILES」と題し２０１１年９月１４日に出願された米国仮特許出願番号６１／５３４，７７２号（代理人整理番号１７０１７８．４０４Ｐ１），「DETECTIBLE INDICATION OF AN ELECTRIC MOTOR VEHICLE STANDBY MODE」と題し２０１１年１０月５日に出願された米国仮特許出願番号６１／５４３，７２０号（代理人整理番号１７０１７８．４０５Ｐ１）、「THERMAL MANAGEMENT OF COMPONENTS IN ELECTRIC MOTOR DRIVE VEHICLES」と題し、２０１１年７月２６日に出願された米国仮特許出願番号６１／５１１，８８７号（代理人整理番号１７０１７８．４０６Ｐ１）、「DYNAMICALLY LIMITING VEHICLE OPERATION FOR BEST EFFORT ECONOMY」と題し２０１１年７月２６日に出願された米国仮特許出願番号６１／５１１，８８０号（代理人整理番号１７０１７８．４０７Ｐ１）、「DRIVE ASSEMBLY FOR ELECTRIC POWERED DEVICE」と題し２０１１年１０月１２日に出願された米国仮特許出願番号６１／５４６，４１１号（代理人整理番号１７０１７８．４１１Ｐ１）、「PORTABLE ELECTRICAL ENERGY STORAGE DEVICE」と題し２０１３年８月３０日に出願された米国仮特許出願番号６１／８７２，１２６号（代理人整理番号１７０１７８．４３０Ｐ１）が、参照によりその全体が本明細書に組み込まれる。実施形態の態様は、必要に応じて、様々な特許、出願及び公開のシステム、回路及び概念を使用して更に他の実施形態を提供するように修正されうる。
【０１１０】
完全電気スクータ及び／又はモータバイクなどの個人用輸送車両と共に使用するための携帯型電気エネルギー貯蔵装置の収集、充電及び分配の環境と状況で一般的に考察したが、本明細書の教示は、他の車両並びに非車両環境を含む種々様々な他の環境にも適用されうる。
【０１１１】
開示の要約に記載された説明を含む図示された実施形態の以上の説明は、網羅的なものではなく、実施形態を開示された厳密な形態に制限するものでもない。本明細書では説明のために特定の実施形態及び例について述べたが、本明細書の開示の教示を鑑みて当業者によって理解されるように、開示の趣旨及び範囲から逸脱せずに様々な等価な修正をなしうる。
【０１１２】
これら及び他の変更は、以上の詳細な説明を考慮して実施形態に行われうる。一般に、以下の特許請求の範囲において、使用される用語は、特許請求の範囲を明細書と特許請求の範囲に開示された特定の実施形態に限定するように解釈されるべきでなく、そのような特許請求の範囲に与えられる等価物の範囲と共に全ての可能な実施形態を含むように解釈されるべきである。したがって、特許請求の範囲は、開示によって限定されない。
【符号の説明】
【０１１３】
２０２  制御サブシステム
２０４  充電サブシステム
２０８  ＵＩサブシステム
２０８ａ  タッチスクリーン
２０８ｂ  キーパッド
２０８ｅ  カードリーダ
２０８ｆ  紙幣バリデータ
２０８ｇ  コインアクセプタ
２１０  マイクロプロセッサ
２４０  フィルタ
２４８  フィルタ
２５０  スイッチ
２５２  モデム
２５４  イーサネット
【図１】
0006275838.tif 000002
【図２】
0006275838.tif 000003
【図３Ａ】
0006275838.tif 000004
【図３Ｂ】
0006275838.tif 000005
【図４】
0006275838.tif 000006
【図５】
0006275838.tif 000007
【図６】
0006275838.tif 000008
【図７】
0006275838.tif 000009
【図８】
0006275838.tif 000010
【図９】
0006275838.tif 000011
【図１０】
0006275838.tif 000012